(57)【特許請求の範囲】
【請求項１】
ワイヤレス通信のための方法であって、
共有無線周波数スペクトル帯域において動作する第１のノードにおける干渉を識別することと、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にすることと、
を備え、
ここにおいて、少なくとも前記第３のノードとの前記第１のノードの前記同期が、前記共有無線周波数スペクトル帯域へのアクセスを求めて競合するとき、前記第１のノードおよび前記第３のノードによって実行されるいくつかの拡張クリアチャネルアセスメント（ＥＣＣＡ）を同期させることを備える、方法。
【請求項２】
前記適応的に有効にすることが、
前記識別された干渉がしきい値を満たさないとき、少なくとも前記第３のノードとの前記第１のノードの前記同期を有効にすることと、
前記識別された干渉が前記しきい値を満たすとき、少なくとも前記第３のノードとの前記第１のノードの前記同期を無効にすることと、
をさらに備える、請求項１に記載の方法。
【請求項３】
少なくとも前記第１のノードおよび前記第３のノードと通信している中心ノードに前記識別された干渉を報告することをさらに備え、
前記適応的に有効にすることが、前記中心ノードから受信されるコマンドに少なくとも部分的に基づく、請求項１に記載の方法。
【請求項４】
中心ノードが少なくとも前記第１のノードおよび前記第３のノードと通信しており、前記識別することおよび前記適応的に有効にすることが前記中心ノードによって実行される、請求項１に記載の方法。
【請求項５】
前記第１のノードにおける前記干渉を識別することが、
前記第１のノードから干渉インジケーションを受信することを備える、請求項４に記載の方法。
【請求項６】
前記適応的に有効にすることが、
コマンドを前記第１のノードに送信することを備える、請求項４に記載の方法。
【請求項７】
前記第１のノードにおける前記干渉を識別することが、前記第３のノードにおいて前記第１のノードから干渉インジケーションを受信することを備え、前記識別することおよび前記適応的に有効にすることが前記第３のノードによって実行される、請求項１に記載の方法。
【請求項８】
前記第１のノードが第１の基地局を備え、前記第２のノードが第２の基地局またはＷｉ−Ｆｉノードを備える、請求項１に記載の方法。
【請求項９】
前記第１のノードが第１の基地局を備え、前記第３のノードが第２の基地局を備え、前記第１の基地局および前記第２の基地局が同じ事業者展開のメンバーである、請求項１に記載の方法。
【請求項１０】
前記第２のノードが、前記第２の基地局を備え、前記第１の基地局および前記第２の基地局が、異なる同期されていない事業者展開のメンバーである、請求項８に記載の方法。
【請求項１１】
前記第１の基地局および前記第２の基地局が、同じ事業者展開の同期されていない基地局である、請求項９に記載の方法。
【請求項１２】
前記第１のノードおよび前記第２のノードが、異なる無線アクセス技術または同じ無線アクセス技術を使用して前記共有無線周波数スペクトル帯域において動作する、請求項１に記載の方法。
【請求項１３】
ワイヤレス通信のための装置であって、
共有無線周波数スペクトル帯域において動作する第１のノードにおける干渉を識別するための手段と、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にするための手段と、
を備え、
ここにおいて、少なくとも前記第３のノードとの前記第１のノードの前記同期が、前記共有無線周波数スペクトル帯域へのアクセスを求めて競合するとき、前記第１のノードおよび前記第３のノードによって実行されるいくつかの拡張クリアチャネルアセスメント（ＥＣＣＡ）を同期させることを備える、装置。
【請求項１４】
適応的に有効にするための前記手段は、
前記識別された干渉がしきい値を満たさないとき、少なくとも前記第３のノードとの前記第１のノードの前記同期を有効にするための手段と、
前記識別された干渉が前記しきい値を満たすとき、少なくとも前記第３のノードとの前記第１のノードの前記同期を無効にするための手段と、
をさらに備える、請求項１３に記載の装置。
【請求項１５】
少なくとも前記第１のノードおよび前記第３のノードと通信している中心ノードに前記識別された干渉を報告するための手段をさらに備え、
前記適応的に有効にすることが、前記中心ノードから受信されるコマンドに少なくとも部分的に基づく、請求項１３に記載の装置。
【請求項１６】
中心ノードが少なくとも前記第１のノードおよび前記第３のノードと通信しており、前記中心ノードが、識別するための前記手段と適応的に有効にするための前記手段とを備える、請求項１３に記載の装置。
【請求項１７】
前記第１のノードにおける干渉を識別するための前記手段が、前記第１のノードから干渉インジケーションを受信するための手段を備える、請求項１６に記載の装置。
【請求項１８】
適応的に有効にするための前記手段が、
コマンドを前記第１のノードに送信するための手段を備える、請求項１６に記載の装置。
【請求項１９】
前記第１のノードにおける干渉を識別するための前記手段が、前記第３のノードにおいて前記第１のノードから干渉インジケーションを受信するための手段を備え、前記第３のノードが、識別するための前記手段と適応的に有効にするための前記手段とを備える、請求項１３に記載の装置。
【請求項２０】
ワイヤレス通信のための装置であって、
プロセッサと、
前記プロセッサに結合されたメモリと、
を備え、命令が、前記メモリに記憶され、
共有無線周波数スペクトル帯域において動作する第１のノードにおける干渉を識別することと、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にすることと、
を行うように前記プロセッサによって実行可能であり、
ここにおいて、少なくとも前記第３のノードとの前記第１のノードの前記同期が、前記共有無線周波数スペクトル帯域へのアクセスを求めて競合するとき、前記第１のノードおよび前記第３のノードによって実行されるいくつかの拡張クリアチャネルアセスメント（ＥＣＣＡ）を同期させることを備える、装置。
【請求項２１】
適応的に有効にするように前記プロセッサによって実行可能な前記命令が、
前記識別された干渉がしきい値を満たさないとき、少なくとも前記第３のノードとの前記第１のノードの前記同期を有効にすることと、
前記識別された干渉が前記しきい値を満たすとき、少なくとも前記第３のノードとの前記第１のノードの前記同期を無効にすることと、
を行うように前記プロセッサによって実行可能な命令を備える、請求項２０に記載の装置。
【請求項２２】
前記命令が、
少なくとも前記第１のノードおよび前記第３のノードと通信している中心ノードに前記識別された干渉を報告するように前記プロセッサによって実行可能であり、
前記適応的に有効にすることが、前記中心ノードから受信されるコマンドに少なくとも部分的に基づく、請求項２０に記載の装置。
【請求項２３】
中心ノードが少なくとも前記第１のノードおよび前記第３のノードと通信しており、前記装置が前記中心ノードを含み、前記プロセッサが前記中心ノードに含まれる、請求項２０に記載の装置。
【請求項２４】
前記第１のノードにおける干渉を識別するように前記プロセッサによって実行可能な前記命令が、
前記第１のノードから干渉インジケーションを受信するように、前記プロセッサによって実行可能な命令を含む、請求項２３に記載の装置。
【請求項２５】
適応的に有効にするように前記プロセッサによって実行可能な前記命令が、
コマンドを前記第１のノードに送信するように前記プロセッサによって実行可能な命令を備える、請求項２３に記載の装置。
【請求項２６】
前記第１のノードにおける干渉を識別するように前記プロセッサによって実行可能な前記命令が、前記第３のノードにおいて前記第１のノードから干渉インジケーションを受信するように前記プロセッサによって実行可能な命令を備え、前記装置が前記第３のノードを含み、前記プロセッサが前記第３のノードに含まれる、請求項２０に記載の装置。
【請求項２７】
ワイヤレス通信のためのコードを記憶する非一時的コンピュータ可読媒体であって、前記コードが、
共有無線周波数スペクトル帯域において動作する第１のノードにおける干渉を識別することと、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にすることと、
を行うようにプロセッサによって実行可能な命令を備え、
ここにおいて、少なくとも前記第３のノードとの前記第１のノードの前記同期が、前記共有無線周波数スペクトル帯域へのアクセスを求めて競合するとき、前記第１のノードおよび前記第３のノードによって実行されるいくつかの拡張クリアチャネルアセスメント（ＥＣＣＡ）を同期させることを備える、非一時的コンピュータ可読媒体。
【請求項２８】
前記適応的に有効にすることが、
前記共有無線周波数スペクトル帯域において、少なくとも前記第３のノードとの前記第１のノードの前記同期を無効にすること
をさらに備える、請求項１に記載の方法。
【発明の詳細な説明】
【相互参照】
【０００１】
[0001]本特許出願は、各々が本出願の譲受人に譲渡された、２０１５年１０月５日に出願された、「Ｔｅｃｈｎｉｑｕｅｓ  ｆｏｒ  Ａｄａｐｔｉｖｅｌｙ  Ｅｎａｂｌｉｎｇ  Ｓｙｎｃｈｒｏｎｉｚａｔｉｏｎ  ｏｆ  Ｎｏｄｅｓ  Ｕｓｉｎｇ  ａ  Ｌｉｓｔｅｎ  Ｂｅｆｏｒｅ  Ｔａｌｋ  Ｌｏａｄ−Ｂａｓｅｄ  Ｅｑｕｉｐｍｅｎｔ  Ｐｒｏｔｏｃｏｌ」と題する、Ｄａｍｎｊａｎｏｖｉｃらによる米国特許出願第１４／８７５，５４２号、および２０１４年１０月１４日に出願された、「Ｔｅｃｈｎｉｑｕｅｓ  ｆｏｒ  Ａｄａｐｔｉｖｅｌｙ  Ｅｎａｂｌｉｎｇ  Ｓｙｎｃｈｒｏｎｉｚａｔｉｏｎ  ｏｆ  Ｎｏｄｅｓ  Ｕｓｉｎｇ  ａ  Ｌｉｓｔｅｎ  Ｂｅｆｏｒｅ  Ｔａｌｋ  Ｌｏａｄ−Ｂａｓｅｄ  Ｅｑｕｉｐｍｅｎｔ  Ｐｒｏｔｏｃｏｌ」と題する、Ｄａｍｎｊａｎｏｖｉｃらによる米国仮特許出願第６２／０６３，７２３号に対する優先権を主張する。
【背景技術】
【０００２】
開示の分野
[0002]本開示は、たとえば、ワイヤレス通信システムに関し、より詳細には、共有無線周波数スペクトル帯域へのアクセスを求めて競合する（contend）ためにリッスンビフォアトーク（ＬＢＴ）負荷ベース機器（ＬＢＴ−ＬＢＥ）プロトコルを使用しているノードの同期を適応的に有効にする（adaptively enabling a synchronization）ための技法に関する。
【０００３】
関連技術の説明
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムを含む。
【０００４】
[0004]例として、ワイヤレス多元接続通信システムは、各々が、場合によってはユーザ機器（ＵＥｓ）として知られている複数の通信デバイスのための通信を同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥｓと通信し得る。
【０００５】
[0005]いくつかの通信モードは、共有無線周波数スペクトル帯域を介した、またはセルラーネットワークの、異なる無線周波数スペクトル帯域（たとえば、認可無線周波数スペクトル帯域（a licensed radio frequency spectrum band）または共有無線周波数スペクトル帯域）を介した、基地局とＵＥとの間の通信を可能にし得る。認可無線周波数スペクトル帯域を使用するセルラーネットワークにおいて増加しているデータトラフィックとともに、無認可無線周波数スペクトル帯域（an unlicensed radio frequency spectrum band）への少なくとも一部のデータトラフィックのオフローディング（offloading）が、拡張されたデータ送信容量のための機会をセルラー事業者（operator）に提供し得る。無認可無線周波数スペクトル帯域はまた、認可無線周波数スペクトル帯域へのアクセスが利用可能でないエリアにサービスを提供し得る。
【０００６】
[0006]無認可無線周波数スペクトル帯域へのアクセスを得て無認可無線周波数スペクトル帯域を介して通信するより前に、基地局またはＵＥは、無認可無線周波数スペクトル帯域へのアクセスを求めて競合するために、ＬＢＴ手順を実行し得る。ＬＢＴ手順は、無認可無線周波数スペクトル帯域のチャネルが利用可能であるかどうかを決定するためにクリアチャネルアセスメント（ＣＣＡ）手順を実行することを含み得る。無認可無線周波数スペクトル帯域のチャネルが利用可能であると決定されると、チャネルを確保する（reserve）ためにチャネル使用ビーコン信号（ＣＵＢＳ）が送信され得る。
【０００７】
[0007]場合によっては、共有無線周波数スペクトル帯域を介した１つまたは複数のノード（たとえば、Ｗｉ−Ｆｉ（登録商標）ノード、他の事業者のノード、または同じ事業者の同期されていないノード）による送信は、基地局またはＵＥが共有無線周波数スペクトル帯域へのアクセスを求める競合に勝つのを妨げることがあり、基地局またはＵＥが共有無線周波数スペクトル帯域へのアクセスに「飢える（starved）」ようになる。場合によっては、この枯渇（starvation）の問題は、共有無線周波数スペクトル帯域へのアクセスを求めて競合するときに、フレームベース機器のために構成されたＬＢＴプロトコル（ＬＢＴ−ＦＢＥ：LBT protocol configured for frame based equipment）の代わりに、負荷ベース機器のために構成されたＬＢＴプロトコル（ＬＢＴ−ＬＢＥ：LBT protocol configured for load based equipment）を使用することによって、軽減され得る。共有無線周波数スペクトル帯域へのアクセスを求めて競合するためにＬＢＴ−ＬＢＥプロトコルを使用するとき、Ｎを１とｑの間のランダムな整数として、複数のＮ回のＣＣＡ手順を含む拡張ＣＣＡ手順が実行され得る。拡張ＣＣＡ手順は、（たとえば、ＬＢＴ−ＦＢＥプロトコルとともに実行される単一のＣＣＡ手順と比較して）共有無線周波数スペクトル帯域への競合を求めるアクセスに勝つためのより多くの機会を、基地局またはＵＥに提供し得る。
【発明の概要】
【０００８】
[0008]本開示は、たとえば、共有無線周波数スペクトル帯域へのアクセスを求めて競合するためにＬＢＴ−ＬＢＥプロトコルを使用しているノードの同期を適応的に有効にするための１つまたは複数の技法に関する。共有無線周波数スペクトル帯域へのアクセスを求めて競合するためのＬＢＴ−ＬＢＥプロトコルの使用は、共有無線周波数スペクトル帯域へのアクセスに勝つためのより多くの機会を、ワイヤレス通信システムのいくつかのノード（たとえば、セルラーネットワークの基地局またはＵＥｓ）に与え得る。しかしながら、同じ事業者によって動作される（operated）異なる基地局が、Ｎ回のＣＣＡｓを実行するために異なるランダムなＮの値を使用するとき、より小さなＮの値を使用する事業者の第１の基地局は、事業者の１つまたは複数の他の基地局より前に、共有無線周波数スペクトル帯域へのアクセスを求める競合に勝つことがあり、ここで、１つまたは複数の他の基地局は１つまたは複数のより大きなＮの値を使用する。結果として、事業者の第１の基地局は、事業者の１つまたは複数の他の基地局が、共有無線周波数スペクトル帯域へのアクセスを求める競合に勝つのを妨げることがある。共有無線周波数スペクトル帯域へのアクセスを求めるそのような事業者内での競争は望ましくないことがあるので、事業者は、事業者の基地局によって使用されるＮの値を同期することがあり、または事業者の基地局の異なるクラスタによって使用されるＮの値を同期させることがある。しかしながら、共有無線周波数スペクトル帯域へのアクセスを求めて競合する目的で、基地局のクラスタによって使用されるＮの値を同期させることは、クラスタの中の基地局のすべてを、クラスタに対して同期せずに動作する単一の基地局またはＷｉ−Ｆｉノードと同等（on par with）にし得る。このことは、単一の基地局またはＷｉ−Ｆｉノード（またはより少数のノード）がより多数のノードを含むクラスタ（たとえば、基地局のクラスタ）と同じ頻度で共有無線周波数スペクトル帯域へのアクセスを求める競合に勝つことが可能であるという、アクセスの公平性の問題をもたらす（pose）可能性がある。このアクセスの公平性の問題を軽減するための技法が、本開示で説明される。
【０００９】
[0009]説明のための例の第１のセットでは、ワイヤレス通信のための方法が説明される。一構成では、方法は、共有無線周波数スペクトル帯域において動作する第１のノードにおける干渉を識別することを含み得る。この干渉は、共有無線周波数スペクトル帯域において動作する第２のノードによって引き起こされ得る。第２のノードは、共有無線周波数スペクトル帯域において第１のノードに対して同期せずに動作し得る。方法はまた、識別された干渉に少なくとも部分的に基づいて、共有無線周波数スペクトル帯域における少なくとも第３のノードとの第１のノードの同期を適応的に有効にすることを含み得る。
【００１０】
[0010]場合によっては、方法は、識別された干渉がしきい値を満たさないとき、少なくとも第３のノードとの第１のノードの同期を有効にすることと、識別された干渉がしきい値を満たすとき、少なくとも第３のノードとの第１のノードの同期を無効にすることと、を含み得る。場合によっては、方法は、少なくとも第１のノードおよび第３のノードと通信している中心ノードに識別された干渉を報告することを含み得、適応的に有効にすることは、中心ノードから受信されたコマンドに少なくとも部分的に基づき得る。
【００１１】
[0011]方法のいくつかの例では、中心ノードは少なくとも第１のノードおよび第３のノードと通信し得、識別することおよび適応的に有効にすることは中心ノードによって実行され得る。方法のいくつかの例では、第１のノードにおける干渉を識別することは、第１のノードから干渉インジケーションを受信することを含み得る。方法のいくつかの例では、適応的に有効にすることは、コマンドを第１のノードに送信することを含み得る。
【００１２】
[0012]方法のいくつかの例では、第１のノードにおける干渉を識別することは、第３のノードにおいて第１のノードから干渉インジケーションを受信することを含み得、識別することおよび適応的に有効にすることは第３のノードによって実行され得る。方法のいくつかの例では、少なくとも第３のノードとの第１のノードの同期は、共有無線周波数スペクトル帯域へのアクセスを求めて競合するときの、第１のノードおよび第３のノードによって実行される拡張クリアチャネルアセスメント（ＥＣＣＡｓ）の同期を含み得る。方法のいくつかの例では、識別することおよび適応的に有効にすることは、第１のノードによって実行され得る。
【００１３】
[0013]方法のいくつかの例では、第１のノードは第１の基地局を含み得る。方法のいくつかの例では、第３のノードは第２の基地局を含み得、第１の基地局および第２の基地局は同じ事業者展開のメンバーであり得る。方法のいくつかの例では、第２のノードは第２の基地局を含み得る。これらの後者の例では、第１の基地局および第２の基地局は、異なる同期されていない事業者展開のメンバーであり得、または、第１の基地局および第２の基地局は、同じ事業者展開の同期されていない基地局であり得る。方法のいくつかの例では、第２のノードはＷｉ−Ｆｉノードを含み得る。
【００１４】
[0014]方法のいくつかの例では、第１のノードおよび第２のノードは、異なる無線アクセス技術を使用して共有無線周波数スペクトル帯域において動作し得る。方法のいくつかの例では、第１のノードおよび第２のノードは、同じ無線アクセス技術を使用して共有無線周波数スペクトル帯域において動作し得る。
【００１５】
[0015]説明のための例の第２のセットでは、ワイヤレス通信のための装置が説明される。一構成では、装置は、共有無線周波数スペクトル帯域において動作する第１のノードにおける干渉を識別するための手段を含み得る。この干渉は、共有無線周波数スペクトル帯域において動作する第２のノードによって引き起こされ得る。第２のノードは、共有無線周波数スペクトル帯域において第１のノードに対して同期せずに動作し得る。装置はまた、識別された干渉に少なくとも部分的に基づいて、共有無線周波数スペクトル帯域における少なくとも第３のノードとの第１のノードの同期を適応的に有効にするための手段を含み得る。いくつかの例では、装置はさらに、説明のための例の第１のセットに関して上で説明したワイヤレス通信のための方法の１つまたは複数の態様をインプリメントする（implementing）ための手段を含み得る。
【００１６】
[0016]説明のための例の第３のセットでは、ワイヤレス通信のための別の装置が説明される。装置は、プロセッサと、プロセッサと電子通信しているメモリと、メモリに記憶された命令と、を含み得る。命令は、共有無線周波数スペクトル帯域において動作する第１のノードにおける干渉を識別するように、プロセッサによって実行可能であり得る。この干渉は、共有無線周波数スペクトル帯域において動作する第２のノードによって引き起こされ得る。第２のノードは、共有無線周波数スペクトル帯域において第１のノードに対して同期せずに動作し得る。命令はまた、識別された干渉に少なくとも部分的に基づいて、共有無線周波数スペクトル帯域における少なくとも第３のノードとの第１のノードの同期を適応的に有効にするように、プロセッサによって実行可能であり得る。いくつかの例では、プロセッサはまた、説明のための例の第１のセットに関して上で説明したワイヤレス通信のための方法の１つまたは複数の態様をインプリメントするように構成され得る。
【００１７】
[0017]説明のための例の第４のセットでは、プロセッサによって実行可能な命令を記憶するためのコンピュータ可読媒体が説明される。一構成では、命令は、共有無線周波数スペクトル帯域において動作する第１のノードにおける干渉を識別するための命令を含み得る。この干渉は、共有無線周波数スペクトル帯域において動作する第２のノードによって引き起こされ得る。第２のノードは、共有無線周波数スペクトル帯域において第１のノードに対して同期せずに動作し得る。プロセッサによって実行可能な命令はまた、識別された干渉に少なくとも部分的に基づいて、共有無線周波数スペクトル帯域における少なくとも第３のノードとの第１のノードの同期を適応的に有効にするための命令を含み得る。いくつかの例では、命令はまた、説明のための例の第１のセットに関して上で説明したワイヤレス通信のための方法の１つまたは複数の態様をインプリメントするための命令を含み得る。
【００１８】
[0018]上記は、以下の詳細な説明がより良く理解され得るように、本開示による例の特徴および技術的利点をかなり広く概説した。さらなる特徴および利点が以下で説明される。開示する概念および具体例は、本開示の同じ目的を実行するための他の構造を修正または設計するための基礎として容易に利用され得る。そのような等価な構成（constructions）は、添付の特許請求の範囲から逸脱しない。本明細書で開示する概念の特徴、それらの編成（organization）と動作方法の両方は、関連する利点とともに、添付の図に関連して以下の説明を検討するとより良く理解されよう。図の各々は、例示および説明の目的で提供されるものであり、特許請求の範囲の制限の定義として提供されるものではない。
【００１９】
[0019]本発明の性質および利点のさらなる理解は、以下の図面を参照することによって実現され得る。添付の図面では、同様のコンポーネントまたは特徴は、同じ参照ラベルを有し得る。さらに、同じタイプの様々なコンポーネントは、参照ラベルの後に、ダッシュと、それらの同様のコンポーネントの間で区別する第２のラベルとを続けることによって区別され得る。第１の参照ラベルのみが本明細書で使用される場合、説明は、第２の参照ラベルにかかわらず、同じ第１の参照ラベルを有する同様のコンポーネントのうちのいずれか１つに適用可能である。
【図面の簡単な説明】
【００２０】
【図１】[0020]本開示の様々な態様によるワイヤレス通信システムの一例を示す図。
【図２】[0021]本開示の様々な態様による、共有無線周波数スペクトル帯域を使用する異なるシナリオの下でＬＴＥ（登録商標）／ＬＴＥ−Ａが展開され得るワイヤレス通信システムを示す図。
【図３】[0022]本開示の様々な態様による、共有無線周波数スペクトル帯域を介したワイヤレス通信の一例を示す図。
【図４Ａ】[0023]本開示の様々な態様による、共有無線周波数スペクトル帯域へのアクセスを求めて競合するとき、送信装置によって実行されるＣＣＡ手順の一例を示す図。
【図４Ｂ】[0024]本開示の様々な態様による、共有無線周波数スペクトル帯域へのアクセスを求めて競合するとき、送信装置によって実行される拡張ＣＣＡ（ＥＣＣＡ）手順の一例を示す図。
【図５】[0025]本開示の様々な態様による、共有無線周波数スペクトル帯域を使用する様々なシナリオの下でＬＴＥ／ＬＴＥ−Ａが展開され得る、ワイヤレス通信システムを示す図。
【図６】[0026]本開示の様々な態様による、共有無線周波数スペクトル帯域を介したワイヤレス通信のタイミング図。
【図７】[0027]本開示の様々な態様による、ワイヤレス通信における使用のための装置のブロック図。
【図８】[0028]本開示の様々な態様による、ワイヤレス通信における使用のための装置のブロック図。
【図９】[0029]本開示の様々な態様による、ワイヤレス通信における使用のための装置のブロック図。
【図１０】[0030]本開示の様々な態様による、ワイヤレス通信における使用のための装置のブロック図。
【図１１】[0031]本開示の様々な態様による、ワイヤレス通信における使用のための装置のブロック図。
【図１２】[0032]本開示の様々な態様による、ワイヤレス通信における使用のための基地局（たとえば、ｅＮＢの一部またはすべてを形成する基地局）のブロック図。
【図１３】[0033]本開示の様々な態様による、ワイヤレス通信における使用のための中心ノード（たとえば、コアネットワークのノード）のブロック図。
【図１４】[0034]本開示の様々な態様による、ワイヤレス通信のための方法の一例を示すフローチャート。
【図１５】[0035]本開示の様々な態様による、ワイヤレス通信のための方法の一例を示すフローチャート。
【図１６】[0036]本開示の様々な態様による、ワイヤレス通信のための方法の一例を示すフローチャート。
【図１７】[0037]本開示の様々な態様による、ワイヤレス通信のための方法の一例を示すフローチャート。
【図１８】[0038]本開示の様々な態様による、ワイヤレス通信のための方法の一例を示すフローチャート。
【詳細な説明】
【００２１】
[0039]共有無線周波数スペクトル帯域へのアクセスを求めて競合するためにＬＢＴ−ＬＢＥプロトコルを使用するノードの同期が適応的に有効にされる、技法が説明される。いくつかの例では、共有無線周波数スペクトル帯域は、無線周波数スペクトル帯域がＷｉ−Ｆｉ使用などの無認可使用のために利用可能であるので、送信装置がアクセスを求めて競合する必要があり得る無線周波数スペクトル帯域を含み得る。いくつかの例では、共有無線周波数スペクトル帯域は、ロングタームエボリューション（ＬＴＥ）通信および／またはＬＴＥアドバンスト（ＬＴＥ−Ａ）通信（ＬＴＥ／ＬＴＥ−Ａ通信）などのセルラー通信のために使用され得る。
【００２２】
[0040]ＬＢＴ−ＬＢＥプロトコルなどの競合ベースのアクセスプロトコルは、ワイヤレス通信媒体への不当な共有アクセスの影響（たとえば、無認可無線周波数スペクトル帯域へのアクセスの枯渇）を軽減するために使用され得る。しかしながら、送信機が無線フレームごとに１つのＣＣＡ手順を実行し、媒体へのアクセスが、１つのＣＣＡ手順の結果に基づいて達成されるかまたは達成されないＬＢＴ−ＦＢＥプロトコルとは対照的に、ＬＢＴ−ＬＢＥプロトコルは、拡張ＣＣＡ手順の実行を必要とする。拡張ＣＣＡ手順は、次に、Ｎというランダムな数のＣＣＡ手順の実行を伴う。ランダムな数Ｎは、送信機ごとに決定され得る。単一の事業者（たとえば、単一のモバイルネットワーク事業者（ＭＮＯ）またはパブリックランドモバイルネットワーク（ＰＬＭＮ））のコンテキストでは、事業者に関連する異なる送信機によって生成される異なるランダムな数により、同じ事業者の送信機が媒体へのアクセスを求めて互いに競争するようになることがあり、場合によっては、事業者の１つまたは複数の送信機が、事業者の１つまたは複数の他の装置が共有無線周波数スペクトル帯域へのアクセスを得るのを妨げることがある。そのようなシナリオは望ましくないことがある。
【００２３】
[0041]本明細書で説明する技法は、第１の送信機（たとえば、発展型ノードＢ（ｅＮＢ）および／または基地局）が、第１の競合アクセスプロトコルのタイミング（a first contention access protocol timing）（たとえば、第１のＬＢＴ−ＬＢＥプロトコルのタイミング）を識別し、第２の競合アクセスプロトコルのタイミング（たとえば、第２のＬＢＴ−ＬＢＥプロトコルのタイミング）を第１の競合アクセスプロトコルのタイミングにアラインする（align）ことを可能にし得る。第２の競合アクセスプロトコルのタイミングは、共有無線周波数スペクトル帯域にアクセスするために第１の送信機によって使用され得る。他の送信機もそれらの競合アクセスプロトコルのタイミングを第１の競合アクセスプロトコルのタイミングにアラインするとき、そのようにアラインされるそれらの競合アクセスプロトコルのタイミングを有する送信機のすべてが、別の送信機が共有無線周波数スペクトル帯域にアクセスするのを妨げることなく、協調された方式で共有無線周波数スペクトル帯域にアクセスし得る。しかしながら、協調された方式での送信機の動作が共有無線周波数スペクトル帯域にアクセスすることに関する公平性の問題をもたらし得るとき、協調された方式での送信機の動作は無効にされ得る。
【００２４】
[0042]以下の説明は、例を提供するものであり、特許請求の範囲に記載された範囲、適用可能性、または例を限定するものではない。本開示の範囲から逸脱することなく、説明する要素の機能および構成（arrangement）において変更が行われてよい。様々な例は、適宜に、様々な手順またはコンポーネントを省略、置換、または追加してよい。たとえば、説明する方法は、説明する順序と異なる順序で実行されてよく、様々なステップが追加され、省略され、または組み合わせられてよい。また、いくつかの例に関して説明する特徴は、他の例において組み合わせられてよい。
【００２５】
[0043]図１は、本開示の様々な態様によるワイヤレス通信システム１００の一例を示す。ワイヤレス通信システム１００は、基地局１０５と、ＵＥｓ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。いくつかの例では、コアネットワーク１３０は、１つまたは複数の中心ノード１３５（たとえば、基地局１０５のうちの複数またはすべてにアクセス可能である１つまたは複数のノード）を含み得る。基地局１０５は、バックホールリンク１３２（たとえば、Ｓ１など）を通じてコアネットワーク１３０または中心ノード１３５とインターフェースし得、ＵＥｓ１１５との通信のための無線構成およびスケジューリングを実行し得るか、または基地局コントローラ（図示せず）の制御下で動作し得る。様々な例では、基地局１０５は、ワイヤードまたはワイヤレスの通信リンクを含み得るバックホールリンク１３４（たとえば、Ｘ１など）を介して互いに直接または間接的に（たとえば、コアネットワーク１３０を通じて）通信し得る。
【００２６】
[0044]基地局１０５は、１つまたは複数の基地局アンテナを介してＵＥｓ１１５とワイヤレス通信し得る。基地局１０５のサイトの各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００２７】
[0045]いくつかの例では、ワイヤレス通信システム１００はＬＴＥ／ＬＴＥ−Ａネットワークを含み得る。ＬＴＥ／ＬＴＥ−Ａネットワークでは、基地局１０５を説明するために発展型ノードＢ（ｅＮＢ）という用語が使用されることがあり、ＵＥｓ１１５を説明するためにＵＥという用語が使用されることがある。ワイヤレス通信システム１００は、異なるタイプのｅＮＢｓが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を説明するために使用され得る３ＧＰＰ（登録商標）用語である。
【００２８】
[0046]マクロセルは、比較的大きい地理的エリア（たとえば、半径数キロメートル）をカバーし得、ネットワークプロバイダのサービスに加入しているＵＥｓによる無制限アクセスを可能にし得る。同じまたは異なる（たとえば、認可、無認可など）無線周波数スペクトル帯域においてマクロセルとして動作し得るマクロセルと比較して、スモールセルは低電力基地局であり得る。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥｓによる無制限アクセスを可能にし得る。フェムトセルも、比較的小さい地理的エリア（たとえば、自宅）をカバーし得、フェムトセルとの関連を有するＵＥｓ（たとえば、限定加入者グループ（ＣＳＧ：closed subscriber group）の中のＵＥｓ、自宅の中のユーザ用のＵＥｓなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００２９】
[0047]ワイヤレス通信システム１００は、同期動作または非同期動作をサポートし得る。同期動作の場合、基地局は、類似のフレームタイミングを有し得、相異なる基地局からの送信は、時間的にほぼアラインされ得る。非同期動作の場合、基地局は、異なるフレームタイミングを有し得、相異なる基地局からの送信は、時間的にアラインされないことがある。本明細書で説明する技法は、同期動作または非同期動作のいずれかに対して使用され得る。
【００３０】
[0048]開示する様々な例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。論理チャネルを介して通信するために、無線リンク制御（ＲＬＣ：Radio Link Control）レイヤが、パケットセグメンテーションと、リアセンブリとを実行し得る。媒体アクセス制御（ＭＡＣ：Medium Access Control）レイヤが、優先度ハンドリング（priority handling）と、トランスポートチャネルへの論理チャネルの多重化とを実行し得る。ＭＡＣレイヤはまた、リンク効率を改善するために、ＭＡＣレイヤにおける再送信を行うためのハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは物理チャネルにマッピングされ得る。
【００３１】
[0049]ＵＥｓ１１５はワイヤレス通信システム１００全体にわたって分散されてよく、各ＵＥ１１５は固定またはモバイルであってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含み得るか、または当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、または他の装置であり得る。ＵＥは、マクロｅＮＢｓ、スモールセルｅＮＢｓ、リレー基地局などを含む、様々なタイプの基地局およびネットワーク機器と通信することが可能であり得る。
【００３２】
[0050]ワイヤレス通信システム１００において示される通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００３３】
[0051]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号（modulated signal）は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、ペアスペクトルリソース（paired spectrum resources）を使用して）、または時間領域複信（ＴＤＤ）動作を使用して（たとえば、非ペアスペクトルリソースを使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【００３４】
[0052]ワイヤレス通信システム１００のいくつかの実施形態では、基地局１０５またはＵＥｓ１１５は、基地局１０５とＵＥｓ１１５との間の通信品質と信頼性とを改善するために、アンテナダイバーシティ方式を採用するための複数のアンテナを含み得る。追加または代替として、基地局１０５またはＵＥｓ１１５は、同じまたは異なるコード化されたデータを搬送する複数の空間レイヤを送信するために、マルチパス環境を利用し得る多入力多出力（ＭＩＭＯ）技法を採用し得る。
【００３５】
[0053]ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣｓおよび１つまたは複数のアップリンクＣＣｓを用いて構成され得る。キャリアアグリゲーションは、ＦＤＤコンポーネントキャリアとＴＤＤコンポーネントキャリアの両方を用いて使用され得る。
【００３６】
[0054]ワイヤレス通信システム１００は、同じくまたは代替的に、認可無線周波数スペクトル帯域（たとえば、無線周波数スペクトル帯域が特定の使用のために特定のユーザに認可されているので、送信装置がアクセスを求めて競合しないことがある、ＬＴＥ／ＬＴＥ−Ａ通信のために使用可能な認可無線周波数スペクトル帯域などの無線周波数スペクトル帯域）、または共有無線周波数スペクトル帯域（たとえば、無線周波数スペクトル帯域がＷｉ−Ｆｉ使用などの無認可使用のために利用可能であるので、送信装置がアクセスを求めて競合する必要があり得る無線周波数スペクトル帯域）を介した動作をサポートし得る。共有無線周波数スペクトル帯域へのアクセスを求める競合に勝つと、送信装置（たとえば、基地局１０５またはＵＥ１１５）は、共有無線周波数スペクトル帯域を介して１つまたは複数のチャネル使用ビーコン信号（ＣＵＢＳ）を送信し得る。ＣＵＢＳは、検出可能なエネルギーを共有無線周波数スペクトル帯域上に供給することによって、共有無線周波数スペクトルを確保するように働き得る。ＣＵＢＳはまた、送信装置を識別するように働き、または送信装置と受信装置とを同期させるように働き得る。
【００３７】
[0055]いくつかの例では、ワイヤレス通信システム１００の複数のノード（たとえば、複数の基地局）が同期された方式で共有無線周波数スペクトル帯域へのアクセスを求めて競合し得るので、それらのノードは共有無線周波数スペクトル帯域へのアクセスを求めて互いに競争しない。他の例では、ワイヤレス通信システム１００のノードは、共有無線周波数スペクトル帯域へのアクセスを求めて互いに競争し（compete）得る。後者の場合、図１に示す基地局１０５は、同じ事業者によって動作され得、同期された方式で共有無線周波数スペクトル帯域へのアクセスを求めて競争し得る。しかしながら、Ｗｉ−Ｆｉノード１４０は、基地局１０５に対して同期せずに動作し得る。Ｗｉ−Ｆｉノード１４０が共有無線周波数スペクトル帯域へのアクセスを求める競合に勝つとき、それはしたがって、同期された基地局１０５のすべてについて、共有無線周波数スペクトル帯域へのアクセスを求める競合に勝つことを妨げ得る。
【００３８】
[0056]図２は、本開示の様々な態様による、共有無線周波数スペクトル帯域を使用する様々なシナリオの下でＬＴＥ／ＬＴＥ−Ａが展開され得るワイヤレス通信システム２００を示す。より具体的には、図２は、共有無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であってよく、第１のＵＥ２１５、第２のＵＥ２１５−ａ、第３のＵＥ２１５−ｂ、および第４のＵＥ２１５−ｃは、図１を参照しながら説明したＵＥｓ１１５のうちの１つまたは複数の態様の例であってよい。
【００３９】
[0057]ワイヤレス通信システム２００における補助ダウンリンクモードの例では、第１の基地局２０５は、ダウンリンクチャネル２２０を使用して第１のＵＥ２１５へＯＦＤＭＡ波形を送信し得る。ダウンリンクチャネル２２０は、共有無線周波数スペクトル帯域における周波数Ｆ１に関連付けられ得る。第１の基地局２０５は、第１の双方向リンク２２５を使用して第１のＵＥ２１５へＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。共有無線周波数スペクトル帯域におけるダウンリンクチャネル２２０および認可無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥに向けられた（addressed to one UE））ユニキャストサービスのために、または（たとえば、いくつかのＵＥｓに向けられた）マルチキャストサービスのために使用され得る。このシナリオは、認可無線周波数スペクトルを使用し、トラフィックまたはシグナリングの混雑（congestion）の一部を緩和する必要がある、任意のサービスプロバイダ（たとえば、モバイルネットワーク事業者（ＭＮＯ））とともに見出される（occur）ことがある。
【００４０】
[0058]ワイヤレス通信システム２００におけるキャリアアグリゲーションモードの一例では、第１の基地局２０５は、第２の双方向リンク２３０を使用して第２のＵＥ２１５−ａへＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形（resource block interleaved FDMA waveforms）を受信し得る。第２の双方向リンク２３０は、共有無線周波数スペクトル帯域における周波数Ｆ１に関連付けられ得る。第１の基地局２０５はまた、第３の双方向リンク２３５を使用して第２のＵＥ２１５−ａへＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補助ダウンリンクのように、このシナリオは、認可無線周波数スペクトルを使用し、トラフィックまたはシグナリングの混雑の一部を緩和する必要がある、任意のサービスプロバイダ（たとえば、ＭＮＯ）とともに見出されることがある。
【００４１】
[0059]ワイヤレス通信システム２００におけるキャリアアグリゲーションモードの別の例では、第１の基地局２０５は、第４の双方向リンク２４０を使用して第３のＵＥ２１５−ｂへＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連付けられ得る。第１の基地局２０５はまた、第５の双方向リンク２４５を使用して第３のＵＥ２１５−ｂへＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で提供した例は説明のために提示され、容量オフロードのために、認可無線周波数スペクトル帯域におけるＬＴＥ／ＬＴＥ−Ａを組み合わせ、共有無線周波数スペクトル帯域を使用する他の類似の動作モードまたは展開シナリオがあり得る。
【００４２】
[0060]上記で説明したように、共有無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ認可無線周波数スペクトル帯域へのアクセス権を有する従来のＭＮＯである。これらのサービスプロバイダにとって、運用上の例は、認可無線周波数スペクトル帯域上のＬＴＥ／ＬＴＥ−Ａの１次コンポーネントキャリア（ＰＣＣ）と共有無線周波数スペクトル帯域上の少なくとも１つの２次コンポーネントキャリア（ＳＣＣ）とを使用するブートストラップモード（たとえば、補助ダウンリンク、キャリアアグリゲーション）を含み得る。
【００４３】
[0061]キャリアアグリゲーションモードでは、たとえば、（たとえば、第１の双方向リンク２２５、第３の双方向リンク２３５、および第５の双方向リンク２４５を介した）認可無線周波数スペクトル帯域において、データおよび制御が通信され得、たとえば、（たとえば、第２の双方向リンク２３０および第４の双方向リンク２４０を介した）共有無線周波数スペクトル帯域において、データが通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を有するＴＤＤ−ＴＤＤキャリアアグリゲーションに該当し（fall under）得る。
【００４４】
[0062]ワイヤレス通信システム２００におけるスタンドアロンモードの一例では、第２の基地局２０５−ａは、双方向リンク２５０を使用して第４のＵＥ２１５−ｃへＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連付けられ得る。スタンドアロンモードは、スタジアム内アクセス（たとえば、ユニキャスト、マルチキャスト）などの、非従来型のワイヤレスアクセスシナリオにおいて使用され得る。この動作モードのためのサービスプロバイダのタイプの一例は、認可無線周波数スペクトル帯域へのアクセスを有しないスタジアム所有者、ケーブル会社、イベント主催者、ホテル、企業、または大企業であり得る。
【００４５】
[0063]いくつかの例では、図１または図２を参照しながら説明した基地局１０５、２０５、または２０５−ａのうちの１つ、あるいは図１または図２を参照しながら説明したＵＥｓ１１５、２１５、２１５−ａ、２１５−ｂ、または２１５−ｃのうちの１つなどの送信装置は、共有無線周波数スペクトル帯域のチャネルへ（たとえば、共有無線周波数スペクトル帯域の物理チャネルへ）のアクセスを得るためにゲーティング間隔（a gating interval）を使用し得る。いくつかの例では、ゲーティング間隔は周期的であり得る。たとえば、周期的なゲーティング間隔は、ＬＴＥ／ＬＴＥ−Ａ無線間隔の少なくとも１つの境界と同期され得る。ゲーティング間隔は、欧州電気通信標準化機構（ＥＴＳＩ）（ＥＮ３０１  ８９３）において指定されているＬＢＴプロトコルに基づくＬＢＴプロトコルなどの、競合ベースプロトコルの適用を定義し得る。ＬＢＴプロトコルの適用を定義するゲーティング間隔を使用するとき、送信装置がクリアチャネルアセスメント（ＣＣＡ）手順などの競合手順（たとえば、ＬＢＴ手順）をいつ実行する必要があるのかを、ゲーティング間隔が示し得る。ＣＣＡ手順の結果は、共有無線周波数スペクトル帯域のチャネルが（ＬＢＴ無線フレームとも呼ばれる）ゲーティング間隔のために利用可能であるのか、それとも使用中であるのかを、送信装置に示し得る。対応するＬＢＴ無線フレームのためにチャネルが利用可能である（たとえば、使用のために「クリアである（clear）」）ことをＣＣＡ手順が示すとき、送信装置は、ＬＢＴ無線フレームの一部または全部の間に、共有無線周波数スペクトル帯域のチャネルを確保または使用し得る。チャネルが利用可能ではないこと（たとえば、チャネルが別の送信装置によって使用中であるか、または確保されていること）をＣＣＡ手順が示すとき、送信装置は、ＬＢＴ無線フレームの間にチャネルを使用することを妨げられ得る。
【００４６】
[0064]図３は、本開示の様々な態様による、共有無線周波数スペクトル帯域を介したワイヤレス通信３１０の一例３００を示す。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移を提供し得、Ｓ’サブフレーム３３５は、アップリンクサブフレーム３２５とダウンリンクサブフレーム３２０との間の遷移と、いくつかの例では、ＬＢＴ無線フレーム間の遷移とを提供し得る。
【００４７】
[0065]Ｓ’サブフレーム３３５の間に、ワイヤレス通信３１０が行われる共有無線周波数スペクトル帯域のチャネルをある期間時間の間確保するために、図１または図２を参照しながら説明した基地局１０５、２０５、または２０５−ａのうちの１つまたは複数などの１つまたは複数の基地局によって、ダウンリンククリアチャネルアセスメント（ＤＣＣＡ）手順３４５が実行され得る。基地局によって成功したＤＣＣＡ手順３４５に続いて、基地局は、基地局がチャネルを確保したというインジケーションを他の基地局または装置（たとえば、ＵＥｓ、Ｗｉ−Ｆｉアクセスポイントなど）に提供するために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、共有無線周波数スペクトル帯域の利用可能な周波数帯域幅のうちの少なくともいくらかの割合を占有し、１つまたは複数の規制上の（regulatory）要件（たとえば、共有無線周波数スペクトル帯域を介した送信が、利用可能な周波数帯域幅のうちの少なくとも８０％を占有するという要件）を満たすことを可能にし得る。Ｄ−ＣＵＢＳ３５０は、いくつかの例では、ＬＴＥ／ＬＴＥ−Ａ  ＣＲＳまたはチャネル状態情報基準信号（ＣＳＩ−ＲＳ）の形態と類似の形態をとり得る。ＤＣＣＡ手順３４５が失敗すると、Ｄ−ＣＵＢＳ３５０は送信されないことがある。
【００４８】
[0066]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥｓによって使用され得る。Ｓ’サブフレーム３３５の第２の部分は、ＤＣＣＡ手順３４５のために使用され得る。Ｓ’サブフレーム３３５の第３の部分は、Ｄ−ＣＵＢＳ３５０を送信するために、共有無線周波数スペクトル帯域のチャネルへのアクセスを求める競合に成功した１つまたは複数の基地局によって使用され得る。
【００４９】
[0067]Ｓサブフレーム３３０の間に、ワイヤレス通信３１０が行われるチャネルをある期間時間の間確保するために、図１または図２を参照しながら上記で説明したＵＥｓ１１５、２１５、２１５−ａ、２１５−ｂ、または２１５−ｃのうちの１つまたは複数などの１つまたは複数のＵＥｓによって、アップリンクＣＣＡ（ＵＣＣＡ）手順３６５が実行され得る。ＵＥによって成功したＵＣＣＡ手順３６５に続いて、ＵＥは、ＵＥがチャネルを確保したというインジケーションを他のＵＥｓまたは装置（たとえば、基地局、Ｗｉ−Ｆｉアクセスポイントなど）に提供するために、アップリンクＣＵＢＳ（Ｕ−ＣＵＢＳ３７０）を送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、共有無線周波数スペクトル帯域の利用可能な周波数帯域幅のうちの少なくともいくらかの割合を占有し、１つまたは複数の規制上の要件（たとえば、共有無線周波数スペクトル帯域を介した送信が、利用可能な周波数帯域幅のうちの少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と類似の形態をとり得る。ＵＣＣＡ手順３６５が失敗すると、Ｕ−ＣＵＢＳ３７０は送信されないことがある。
【００５０】
[0068]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡ手順３６５のために使用され得る。Ｓサブフレーム３３０の第４の部分は、アップリンクパイロットタイムスロット（ＵｐＰＴＳ）として、またはＵ−ＣＵＢＳ３７０を送信するために、共有無線周波数スペクトル帯域のチャネルへのアクセスを求める競合に成功した１つまたは複数のＵＥｓによって使用され得る。
【００５１】
[0069]いくつかの例では、ＤＣＣＡ手順３４５またはＵＣＣＡ手順３６５は、単一のＣＣＡ手順の実行を含み得る。他の例では、ＤＣＣＡ手順３４５またはＵＣＣＡ手順３６５は、拡張ＣＣＡ手順の実行を含み得る。拡張ＣＣＡ手順は、ランダムな数のＣＣＡ手順を含み得、いくつかの例では、複数のＣＣＡ手順を含み得る。したがって、ＤＣＣＡ手順およびＵＣＣＡ手順という用語は、単一のＣＣＡ手順と拡張ＣＣＡ手順のいずれかの実行をカバーするのに十分広いことが意図される。ＬＢＴ無線フレームの間の基地局またはＵＥによる実行のための、単一のＣＣＡ手順または拡張ＣＣＡ手順の選択は、ＬＢＴ規則に基づき得る。場合によっては、一般的な意味で、単一のＣＣＡ手順または拡張ＣＣＡ手順のいずれかを指すために、ＣＣＡ手順という用語が本開示において使用され得る。
【００５２】
[0070]図４Ａは、本開示の様々な態様による、共有無線周波数スペクトル帯域へのアクセスを求めて競合するとき、送信装置によって実行される単一のＣＣＡ手順４１５の一例４００を示す。いくつかの例では、単一のＣＣＡ手順４１５は、図３を参照しながら説明したＤＣＣＡ手順３４５またはＵＣＣＡ手順３６５の一例であり得る。単一のＣＣＡ手順４１５は、一定の持続時間（たとえば、２０ミリ秒）を有し得る。いくつかの例では、単一のＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。単一のＣＣＡ手順４１５に続いて、ＣＵＢＳ４２０が送信され得、データ送信（たとえば、アップリンク送信またはダウンリンク送信）が後続し得る。例として、データ送信は、３つのサブフレームとしての意図された持続時間４０５と、３つのサブフレームとしての実際の持続時間４１０とを有し得る。
【００５３】
[0071]図４Ｂは、本開示の様々な態様による、共有無線周波数スペクトル帯域へのアクセスを求めて競合するとき、送信装置によって実行される拡張ＣＣＡ（ＥＣＣＡ）手順４６５の一例４５０を示す。いくつかの例では、ＥＣＣＡ手順４６５は、図３を参照しながら説明したＤＣＣＡ手順３４５またはＵＣＣＡ手順３６５の一例であり得る。ＥＣＣＡ手順４６５は、ランダムな数のＮ個のＣＣＡ手順を含み得、いくつかの例では、複数のＣＣＡ手順を含み得る。したがって、ＥＣＣＡ手順４６５は可変の持続時間を有し得、この可変の持続時間は単一のＣＣＡ手順の持続時間より長いことがある。いくつかの例では、ＥＣＣＡ手順４６５は、ＬＢＴ−ＬＢＥプロトコル（たとえば、ＥＮ３０１  ８９３によって説明されるＬＢＴ−ＬＢＥプロトコル）に従って実行され得る。ＥＣＣＡ手順４６５は、共有無線周波数スペクトル帯域にアクセスするための競合に勝つことのより高い可能性をもたらし得るが、より短いデータ伝送の潜在的なコストをもたらし得る。ＥＣＣＡ手順４６５に続いて、ＣＵＢＳ４７０が送信され得、データ送信が後続し得る。例として、データ送信は、３つのサブフレームとしての意図された持続時間４５５と、２つのサブフレームとしての実際の持続時間４６０とを有し得る。
【００５４】
[0072]図５は、本開示の様々な態様による、共有無線周波数スペクトル帯域を使用する様々なシナリオの下でＬＴＥ／ＬＴＥ−Ａが展開され得る、ワイヤレス通信システム５００を示す。より具体的には、図５は、図４Ａを参照しながら説明したＣＣＡ手順４１５および／または図４Ｂを参照しながら説明したＥＣＣＡ手順４６５を使用して共有無線周波数スペクトル帯域へのアクセスを求めて競合する複数の基地局（たとえば、第１の基地局５０５、第２の基地局５０５−ａ、第３の基地局５０５−ｂ、および／または第４の基地局５０５−ｃ）およびＵＥｓによって、周期的なＬＢＴ無線フレーム（たとえば、図３を参照しながら説明したＬＢＴ無線フレーム３１５）にしたがって、ＬＴＥ／ＬＴＥ−Ａが図２を参照しながら説明したシナリオの１つまたは複数の下で展開され得る、ワイヤレス通信システム５００を示す。ＵＥｓは図５に示されていない。ワイヤレス通信システム５００のいくつかの例では、第１の基地局５０５、第２の基地局５０５−ａ、第３の基地局５０５−ｂ、または第４の基地局５０５−ｃの１つまたは複数は、互いに、または中心ノード５３５と通信し得る。ワイヤレス通信システム５００はまた、共有無線周波数スペクトル帯域において動作するＷｉ−Ｆｉノード５４０を含み得る。
【００５５】
[0073]ワイヤレス通信システム５００のいくつかの例では、第１の基地局５０５、第２の基地局５０５−ａ、および第３の基地局５０５−ｂは同期されることが可能であり得るが、第４の基地局５０５−ｃは、第１の基地局５０５、第２の基地局５０５−ａ、または第３の基地局５０５−ｃの少なくとも１つに対して同期せずに動作され得る。いくつかの例では、第１の基地局５０５、第２の基地局５０５−ａ、および第３の基地局５０５−ｂは第１の事業者によって動作され得、第４の基地局５０５−ｃは第２の事業者によって動作され得る。他の例では、第１の基地局５０５、第２の基地局５０５−ａ、第３の基地局５０５−ｂ、および第４の基地局５０５−ｃは、第１の事業者によって動作され得るが、第４の基地局５０５−ｃは、第１の基地局５０５、第２の基地局５０５−ａ、または第３の基地局５０５−ｂの少なくとも１つに対して同期せずに動作され得る。Ｗｉ−Ｆｉノード５４０はまた、第１の基地局５０５、第２の基地局５０５−ａ、または第３の基地局５０５−ｂの少なくとも１つに対して同期せずに動作され得る。
【００５６】
[0074]第１の基地局５０５、第２の基地局５０５−ａ、第３の基地局５０５−ｂ、または第４の基地局５０５−ｃが、ＬＢＴ−ＦＢＥプロトコルを使用して共有無線周波数スペクトル帯域へのアクセスを求めて競合するとき、Ｗｉ−Ｆｉノード５４０が基地局のＣＣＡ範囲内にある場合（たとえば、Ｗｉ−Ｆｉノード５４０の動作が基地局によって検出可能である場合、またはＷｉ−Ｆｉノード５４０の検出されたエネルギーがしきい値を満たす場合）、基地局は共有無線周波数スペクトル帯域へのアクセスに飢えることがある。たとえば、ＥＴＳＩ  ＥＮ  ３０１  ８９３  ｖ１．７．１またはｖ１．７．２を参照されたい。共有無線周波数スペクトル帯域へのアクセスの枯渇の例は、図６を参照しながらより詳細に説明される。
【００５７】
[0075]前述のアクセスの枯渇の問題を軽減するために、第１の基地局５０５、第２の基地局５０５−ａ、第３の基地局５０５−ｂ、または第４の基地局５０５−ｃの１つまたは複数は、共有無線周波数スペクトル帯域へのアクセスを求めて競合するためにＬＢＴ−ＬＢＥプロトコルを使用し得る。ＬＢＴ−ＦＢＥプロトコルとは対照的に、ＬＢＴ−ＬＢＥプロトコルは、共有無線周波数スペクトル帯域にアクセスするとき、ある程度の持続性（a degree of persistence）を提供し、共有無線周波数スペクトル帯域へのアクセスを求めて競合するときに、ＬＢＴ−ＬＢＥプロトコルを使用する基地局を、Ｗｉ−Ｆｉノード５４０と同等にする。しかしながら、同じ事業者によって動作される複数の基地局が共有無線周波数スペクトル帯域にアクセスするためにＬＢＴ−ＬＢＥプロトコルを使用するとき、基地局は、共有無線周波数スペクトル帯域へのアクセスを求めて互いに競争し得る。これは望ましくないことがあり、同じ事業者によって動作される基地局の動作を同期させることによって（または基地局のクラスタ内の基地局の動作を同期させることによって）軽減され得る。同期させることは、基地局によって（たとえば、基地局の各々がＮの異なるランダムな値の代わりにＮの同じ値を使用するのを確実にすることによって）、ＥＣＣＡ手順の実行を同期させる（たとえば、アラインする）ことを含み得る。いくつかの例では、第１の基地局５０５、第２の基地局５０５−ａ、および第３の基地局５０５−ｂの動作は、クラスタ指定（designation）５４５によって示されるように同期され得る。
【００５８】
[0076]複数のノードの同期はアクセスに対する事業者内での（intra-operator）競争の問題を軽減し得るが、同期はさらに別のアクセスの公平性の問題ももたらし得る。すなわち、同期は、クラスタの中の基地局のすべてを、クラスタに関して同期せずに動作する単一の基地局（たとえば、第４の基地局５０５−ｃ）またはＷｉ−Ｆｉノード（たとえば、Ｗｉ−Ｆｉノード５４０）と同等にし得る。したがって、単一の基地局またはＷｉ−Ｆｉノード（またはより少数のノード）が、より多数のノードを含むクラスタと同じ頻度で共有無線周波数スペクトル帯域へのアクセスを求める競合に勝つことが可能であり得る。このアクセスの公平性の問題を軽減するための技法が、本開示で説明される。
【００５９】
[0077]図６は、本開示の様々な態様による、共有無線周波数スペクトル帯域を介したワイヤレス通信のタイミング図６００を示す。いくつかの例では、共有無線周波数スペクトル帯域は、無線周波数スペクトル帯域がＷｉ−Ｆｉ使用などの無認可使用のために利用可能であるので、送信装置がアクセスを求めて競合する必要があり得る無線周波数スペクトル帯域であり得る。示すように、Ｗｉ−Ｆｉノードは、複数のＷｉ−Ｆｉアクティブ期間６１５の各々の間の、共有無線周波数スペクトル帯域への競合を求めるアクセスに勝ち得る。図１、図２、または図５を参照しながら説明した基地局１０５、２０５、２０５−ａ、５０５、５０５−ａ、５０５−ｂ、または５０５−ｃの１つ、あるいは図１または図２を参照しながら説明したＵＥｓ１１５、２１５、２１５−ａ、２１５−ｂ、または２１５−ｃの１つなどの、基地局またはＵＥは、いくつかのＬＢＴ無線フレーム６０５の各々の間にＬＢＴ−ＦＢＥプロトコルを使用して共有無線周波数スペクトル帯域へのアクセスを求めて競合し得るが、共有無線周波数スペクトル帯域のＷｉ−Ｆｉノードによる使用の結果としてＣＣＡの失敗を経験し得る。基地局またはＵＥは、共有無線周波数スペクトル帯域へのアクセスを求めて競合することの３０回程度の試みのうちの１回、ＣＣＡの成功を経験し、期間６１０の間に共有無線周波数スペクトル帯域へのアクセスを求める競合に勝ち得る。
【００６０】
[0078]共有無線周波数スペクトル帯域へのアクセスを求める競合に勝つことについて、基地局またはＵＥの成功（または成功の欠如）と比較してＷｉ−Ｆｉノードがより多く成功することは、完全な送信バッファを有するＷｉ−Ｆｉノードが３ミリ秒の間送信し、次いで持続的なプロトコルを使用して１００マイクロ秒未満でアクセスを試み得るときに、基地局またはＵＥが数ミリ秒に１回（たとえば、図３を参照しながら説明したＬＢＴ無線フレーム３１５の場合１０ミリ秒に１回）アクセスを試みることに起因し（be attributed）得る。したがって、基地局またはＵＥは、共有無線周波数スペクトル帯域へのアクセスを求める競合に勝つ（高くても）３０分の１の確率（chance）を有し、基地局またはＵＥがＬＢＴ無線フレームの間に共有無線周波数スペクトル帯域へのアクセスを求める競合に勝つときでも、基地局またはＵＥが連続するＬＢＴ無線フレームにおいて共有無線周波数スペクトル帯域へのアクセスを求める競合に勝つ可能性は低い。したがって、Ｗｉ−Ｆｉノードは、共有無線周波数スペクトル帯域へのアクセスについて基地局またはＵＥを飢えさせることがある。この枯渇の問題は、ＬＢＴ−ＬＢＥプロトコルを使用して共有無線周波数スペクトル帯域へのアクセスを求めて競合するように基地局またはＵＥを構成することによって軽減され得る。
【００６１】
[0079]図７は、本開示の様々な態様による、ワイヤレス通信における使用のための装置７１０５のブロック図７００を示す。装置７０５は、図１、図２、または図５を参照しながら説明した基地局１０５、２０５、２０５−ａ、５０５、５０５−ａ、または５０５−ｂのうちの１つもしくは複数の態様、あるいは図５を参照しながら説明した中心ノード５３５の態様の例であり得る。装置７０５はまた、プロセッサであってよく、またはプロセッサを含んでもよい。装置７０５は、受信機モジュール７１０、ワイヤレス通信管理モジュール７２０、または送信機モジュール７３０を含み得る。これらのモジュールの各々は、互いに通信し得る。
【００６２】
[0080]装置７０５のモジュールは、適用可能な機能の一部または全部をハードウェアで実行するように適合された１つまたは複数の特定用途向け集積回路（ＡＳＩＣ）を使用して、個別にまたは集合的にインプリメントされ得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリの中で具現化された命令を用いてインプリメントされ得る。
【００６３】
[0081]いくつかの例では、受信機モジュール７１０は、認可無線周波数スペクトル帯域（たとえば、無線周波数スペクトル帯域が特定の使用のために特定のユーザに認可されているので、送信装置がアクセスを求めて競合しないことがある、ＬＴＥ／ＬＴＥ−Ａ通信のために使用可能な認可無線周波数スペクトル帯域などの無線周波数スペクトル帯域）、または共有無線周波数スペクトル帯域（たとえば、無線周波数スペクトル帯域がＷｉ−Ｆｉ使用などの無認可使用のために利用可能であるので、送信装置がアクセスを求めて競合する必要があり得る無線周波数スペクトル帯域）を介した送信を受信するように動作可能な無線周波数（ＲＦ）受信機などの、ＲＦ受信機を含み得る。いくつかの例では、認可無線周波数スペクトル帯域または共有無線周波数スペクトル帯域は、たとえば、図１、図２、図３、図４Ａ、図４Ｂ、図５、または図６を参照しながら説明したように、ＬＴＥ／ＬＴＥ−Ａ通信のために使用され得る。受信機モジュール７１０は、同じくまたは代替的に、コアネットワークの１つまたは複数の基地局または中心ノードと通信するためのバックホール受信機を含み得る。受信機モジュール７１０は、図１、図２、または図５を参照しながら説明したワイヤレス通信システム１００、２００、または５００の１つまたは複数の通信リンクまたはバックホールリンクなどの、ワイヤレス通信システムの１つまたは複数の通信リンクまたはワイヤードバックホールもしくはワイヤレスバックホールの１つまたは複数のバックホールリンクを介して様々なタイプのデータまたは制御信号（すなわち、送信）を受信するために使用され得る。
【００６４】
[0082]いくつかの例では、送信機モジュール７３０は、認可無線周波数スペクトル帯域または無認可無線周波数スペクトル帯域を介して送信するように動作可能なＲＦ送信機などの、ＲＦ送信機を含み得る。送信機モジュール７３０は、同じくまたは代替的に、コアネットワークの基地局と、または中心ノードとバックホールリンクを介して通信するためのバックホール送信機を含み得る。送信機モジュール７３０は、図１、図２、または図５を参照しながら説明したワイヤレス通信システム１００、２００、または５００の１つまたは複数の通信リンクまたはバックホールリンクなどの、ワイヤレス通信システムの１つまたは複数の通信リンクまたはワイヤードバックホールもしくはワイヤレスバックホールの１つまたは複数のバックホールリンクを介して様々なタイプのデータまたは制御信号（すなわち、送信）を送信するために使用され得る。
【００６５】
[0083]いくつかの例では、ワイヤレス通信管理モジュール７２０は、装置７０５（または装置７０５と通信している１つまたは複数のノードまたは基地局）のためのワイヤレス通信の１つまたは複数の態様を管理するために使用され得る。いくつかの例では、ワイヤレス通信管理モジュール７２０は、干渉決定モジュール７４０または適応ノード同期モジュール７４５を含み得る。
【００６６】
[0084]干渉決定モジュール７４０および適応ノード同期モジュール７４５の例示的な動作は、各々が共有無線周波数スペクトル帯域において動作する第１のノード、第２のノード、および第３のノードを参照しながら説明される。装置７０５は、第１のノード、第３のノード、または少なくとも第１のノードおよび第３のノードと通信している中心ノードに含まれ得る。第２のノードは、共有無線周波数スペクトル帯域において第１のノードに対して同期せずに動作し得る。いくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【００６７】
[0085]いくつかの例では、干渉決定モジュール７４０は、共有無線周波数スペクトル帯域において動作する第１のノードにおける干渉を識別するために使用され得る。この干渉は、共有無線周波数スペクトル帯域において動作する第２のノードによって引き起こされ得る。第２のノードは、共有無線周波数スペクトル帯域において第１のノードに対して同期せずに動作し得る。
【００６８】
[0086]いくつかの例では、適応ノード同期モジュール７４５は、識別された干渉に少なくとも部分的に基づいて、共有無線周波数スペクトル帯域における少なくとも第３のノードとの第１のノードの同期を適応的に有効にするために使用され得る。
【００６９】
[0087]図８は、本開示の様々な態様による、ワイヤレス通信における使用のための装置８０５のブロック図８００を示す。装置８０５は、図１、図２、または図５を参照しながら説明した基地局１０５、２０５、２０５−ａ、５０５、５０５−ａ、または５０５−ｂのうちの１つまたは複数の態様、あるいは図７を参照しながら説明した装置７０５の態様の例であり得る。装置８０５はまた、プロセッサであってよく、またはプロセッサを含んでもよい。装置８０５は、受信機モジュール８１０、ワイヤレス通信管理モジュール８２０、または送信機モジュール８３０を含み得る。これらのモジュールの各々は、互いに通信し得る。
【００７０】
[0088]装置８０５のモジュールは、適用可能な機能の一部または全部をハードウェアで実行するように適合された１つまたは複数のＡＳＩＣｓを使用して、個別にまたは集合的にインプリメントされ得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリの中で具現化された命令を用いてインプリメントされ得る。
【００７１】
[0089]いくつかの例では、受信機モジュール８１０は、認可無線周波数スペクトル帯域（たとえば、ＬＴＥ／ＬＴＥ−Ａ通信のために使用可能な認可無線周波数スペクトル帯域などの特定の使用のために無線周波数スペクトル帯域が特定のユーザに認可されているので、送信装置がアクセスを求めて競合しないことがある無線周波数スペクトル帯域）または共有無線周波数スペクトル帯域（たとえば、無線周波数スペクトル帯域がＷｉ−Ｆｉ使用などの無認可使用のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または共有無線周波数スペクトル帯域は、たとえば、図１、図２、図３、図４Ａ、図４Ｂ、図５、または図６を参照しながら説明したように、ＬＴＥ／ＬＴＥ−Ａ通信のために使用され得る。受信機モジュール８１０は、場合によっては、認可無線周波数スペクトル帯域用および共有無線周波数スペクトル帯域用の別個の受信機を含み得る。別個の受信機は、いくつかの例では、認可無線周波数スペクトル帯域を介して通信するためのＬＴＥ／ＬＴＥ−Ａ受信機モジュール（たとえば、認可ＲＦスペクトル帯域用のＬＴＥ／ＬＴＥ−Ａ受信機モジュール８１２）、および共有無線周波数スペクトル帯域を介して通信するためのＬＴＥ／ＬＴＥ−Ａ受信機モジュール（たとえば、共有ＲＦスペクトル帯域用のＬＴＥ／ＬＴＥ−Ａ受信機モジュール８１４）の形態をとり得る。受信機モジュール８１０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール受信機モジュール８１６などの、バックホール受信機モジュールを含み得る。認可ＲＦスペクトル帯域のためのＬＴＥ／ＬＴＥ−Ａ受信機モジュール８１２、共有ＲＦスペクトル帯域のためのＬＴＥ／ＬＴＥ−Ａ受信機モジュール８１４、および／またはＬＴＥ／ＬＴＥ−Ａバックホール受信機モジュール８１６を含む受信機モジュール８１０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤードバックホールもしくはワイヤレスバックホールの１つまたは複数のバックホールリンクを介して、様々なタイプのデータまたは制御信号（すなわち、送信）を受信するために使用され得る。
【００７２】
[0090]いくつかの例では、送信機モジュール８３０は、認可無線周波数スペクトル帯域または無認可無線周波数スペクトル帯域を介して送信するように動作可能なＲＦ送信機などの、ＲＦ送信機を含み得る。送信機モジュール８３０は、場合によっては、認可無線周波数スペクトル帯域用および無認可無線周波数スペクトル帯域用の別個の送信機を含み得る。別個の送信機は、いくつかの例では、認可無線周波数スペクトル帯域を介して通信するためのＬＴＥ／ＬＴＥ−Ａ送信機モジュール（たとえば、認可ＲＦスペクトル帯域用のＬＴＥ／ＬＴＥ−Ａ送信機モジュール８３２）、および共有無線周波数スペクトル帯域を介して通信するためのＬＴＥ／ＬＴＥ−Ａ送信機モジュール（たとえば、共有ＲＦスペクトル帯域用のＬＴＥ／ＬＴＥ−Ａ送信機モジュール８３４）の形態をとり得る。送信機モジュール８３０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール送信機モジュール８３６などの、バックホール送信機モジュールを含み得る。認可ＲＦスペクトル帯域のためのＬＴＥ／ＬＴＥ−Ａ送信機モジュール８３２、共有ＲＦスペクトル帯域のためのＬＴＥ／ＬＴＥ−Ａ送信機モジュール８３４、および／またはＬＴＥ／ＬＴＥ−Ａバックホール送信機モジュール８３６を含む送信機モジュール８３０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤレス通信システムの１つまたは複数のバックホールリンクを介して、様々なタイプのデータまたは制御信号（すなわち、送信）を送信するために使用され得る。
【００７３】
[0091]いくつかの例では、ワイヤレス通信管理モジュール８２０は、装置８０５のためのワイヤレス通信の１つまたは複数の態様を管理するために使用され得る。いくつかの例では、ワイヤレス通信管理モジュール８２０は、ＣＣＡモジュール８５０、干渉決定モジュール８４０、または適応ノード同期モジュール８４５を含み得る。
【００７４】
[0092]ＣＣＡモジュール８５０、干渉決定モジュール８４０、および適応ノード同期モジュール８４５の例示的な動作は、各々が共有無線周波数スペクトル帯域において動作する第１のノード、第２のノード、および第３のノードを参照しながら説明される。装置８０５は第１のノードに含まれ得る。第２のノードは、共有無線周波数スペクトル帯域において第１のノードに対して同期せずに動作し得る。いくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【００７５】
[0093]いくつかの例では、ＣＣＡモジュール８５０は、共有無線周波数スペクトル帯域へのアクセスを求めて競合するために使用され得る。いくつかの例では、ＣＣＡモジュール８５０は、たとえば図３、図４Ａ、または図４Ｂを参照しながら説明したように、ＤＣＣＡを実行することによって共有無線周波数スペクトル帯域へのアクセスを求めて競合し得る。ＣＣＡモジュール８５０は、共有無線周波数スペクトル帯域にアクセスするために構成されるようにまたは動的に決定されるように、ＣＣＡまたはＥＣＣＡを実行するために使用され得る。
【００７６】
[0094]いくつかの例では、干渉決定モジュール８４０は、共有無線周波数スペクトル帯域において動作する第２のノードによって引き起こされる第１のノードにおける干渉を、第１のノードにおいて識別するために使用され得る。いくつかの例では、干渉決定モジュール８４０は、測定された干渉レベルまたは第２のノードの検出可能性（detectability）に少なくとも部分的に基づいて、第１のノードにおける干渉を識別し得る。干渉が測定された干渉レベルに基づくとき、干渉決定モジュール８４０は、たとえば、干渉レベルをしきい値と比較することによって、第１のノードにおける干渉を識別し得る。干渉が第２のノードの動作の検出可能性に基づいて識別されるとき、干渉決定モジュール８４０は、たとえば、第２のノードの動作の検出可能性に少なくとも部分的に基づいて、または第２のノードの識別情報（identity）に少なくとも部分的に基づいて、または第２のノードのタイプに少なくとも部分的に基づいて、干渉を識別し得る。
【００７７】
[0095]いくつかの例では、適応ノード同期モジュール８４５は、共有無線周波数スペクトル帯域における少なくとも第３のノードとの第１のノードの同期を適応的に有効にするために使用され得る。識別された干渉がしきい値を満たさないと干渉決定モジュール８４０によって決定されるとき、適応ノード同期モジュール８４５は、共有無線周波数スペクトル帯域における少なくとも第３のノードとの第１のノードの同期を有効にし得る。識別された干渉がしきい値を満たすと干渉決定モジュール８４０によって決定されるとき、適応ノード同期モジュール８４５は、共有無線周波数スペクトル帯域における少なくとも第３のノードとの第１のノードの同期を無効にし得る。
【００７８】
[0096]いくつかの例では、適応ノード同期モジュール８４５はＥＣＣＡ管理モジュール８５５を含み得る。識別された干渉がしきい値を満たさないと干渉決定モジュール８４０によって決定されるとき、ＥＣＣＡ管理モジュール８５５は、第１のノードによって実行されるＥＣＣＡを少なくとも第３のノードによって実行されるＥＣＣＡと同期させるために使用され得る。識別された干渉がしきい値を満たすと干渉決定モジュール８４０によって決定されるとき、ＥＣＣＡ管理モジュール８５５は、第１のノードによって実行されるＥＣＣＡが少なくとも第３のノードによって実行されるＥＣＣＡと独立に実行されることを許可し得る。
【００７９】
[0097]図９は、本開示の様々な態様による、ワイヤレス通信における使用のための装置９０５のブロック図９００を示す。装置９０５は、図１、図２、または図５を参照しながら説明した基地局１０５、２０５、２０５−ａ、５０５、５０５−ａ、または５０５−ｂのうちの１つもしくは複数の態様、あるいは図７または図８を参照しながら説明した装置７０５または８０５の態様の例であり得る。装置９０５はまた、プロセッサであってよく、またはプロセッサを含んでもよい。装置９０５は、受信機モジュール９１０、ワイヤレス通信管理モジュール９２０、または送信機モジュール９３０を含み得る。これらのモジュールの各々は、互いに通信し得る。
【００８０】
[0098]装置９０５のモジュールは、適用可能な機能の一部または全部をハードウェアで実行するように適合された１つまたは複数のＡＳＩＣｓを使用して、個別にまたは集合的にインプリメントされ得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリの中で具現化された命令を用いてインプリメントされ得る。
【００８１】
[0099]いくつかの例では、受信機モジュール９１０は、認可無線周波数スペクトル帯域（たとえば、無線周波数スペクトル帯域が特定の使用のために特定のユーザに認可されているので、送信装置がアクセスを求めて競合しないことがある、ＬＴＥ／ＬＴＥ−Ａ通信のために使用可能な認可無線周波数スペクトル帯域などの無線周波数スペクトル帯域）、または共有無線周波数スペクトル帯域（たとえば、無線周波数スペクトル帯域がＷｉ−Ｆｉ使用などの無認可使用のために利用可能であるので、送信装置がアクセスを求めて競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または共有無線周波数スペクトル帯域は、たとえば、図１、図２、図３、図４Ａ、図４Ｂ、図５、または図６を参照しながら説明したように、ＬＴＥ／ＬＴＥ−Ａ通信のために使用され得る。受信機モジュール９１０は、場合によっては、認可無線周波数スペクトル帯域および共有無線周波数スペクトル帯域のために別個の受信機を含み得る。別個の受信機は、いくつかの例では、認可無線周波数スペクトル帯域を介して通信するためのＬＴＥ／ＬＴＥ−Ａ受信機モジュール（たとえば、認可ＲＦスペクトル帯域のためのＬＴＥ／ＬＴＥ−Ａ受信機モジュール９１２）、および共有無線周波数スペクトル帯域を介して通信するためのＬＴＥ／ＬＴＥ−Ａ受信機モジュール（たとえば、共有ＲＦスペクトル帯域のためのＬＴＥ／ＬＴＥ−Ａ受信機モジュール９１４）の形態をとり得る。受信機モジュール９１０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール受信機モジュール９１６などの、バックホール受信機モジュールを含み得る。認可ＲＦスペクトル帯域のためのＬＴＥ／ＬＴＥ−Ａ受信機モジュール９１２、共有ＲＦスペクトル帯域のためのＬＴＥ／ＬＴＥ−Ａ受信機モジュール９１４、および／またはＬＴＥ／ＬＴＥ−Ａバックホール受信機モジュール９１６を含む受信機モジュール９１０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤードバックホールもしくはワイヤレスバックホールの１つまたは複数のバックホールリンクを介して、様々なタイプのデータまたは制御信号（すなわち、送信）を受信するために使用され得る。
【００８２】
[0100]いくつかの例では、送信機モジュール９３０は、認可無線周波数スペクトル帯域または無認可無線周波数スペクトル帯域を介して送信するように動作可能なＲＦ送信機などの、ＲＦ送信機を含み得る。送信機モジュール９３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（たとえば、認可ＲＦスペクトル帯域のためのＬＴＥ／ＬＴＥ−Ａ送信機モジュール９３２）、および共有無線周波数スペクトル帯域を介して通信するためのＬＴＥ／ＬＴＥ−Ａ送信機モジュール（たとえば、共有ＲＦスペクトル帯域のためのＬＴＥ／ＬＴＥ−Ａ送信機モジュール９３４）の形態をとり得る。送信機モジュール９３０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール送信機モジュール９３６などの、バックホール送信機モジュールを含み得る。認可ＲＦスペクトル帯域のためのＬＴＥ／ＬＴＥ−Ａ送信機モジュール９３２、共有ＲＦスペクトル帯域のためのＬＴＥ／ＬＴＥ−Ａ送信機モジュール９３４、および／またはＬＴＥ／ＬＴＥ−Ａバックホール送信機モジュール９３６を含む送信機モジュール９３０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤレス通信システムの１つまたは複数のバックホールリンクを介して、様々なタイプのデータまたは制御信号（すなわち、送信）を送信するために使用され得る。
【００８３】
[0101]いくつかの例では、ワイヤレス通信管理モジュール９２０は、装置９０５のためのワイヤレス通信の１つまたは複数の態様を管理するために使用され得る。いくつかの例では、ワイヤレス通信管理モジュール９２０は、ＣＣＡモジュール９５０、干渉決定モジュール９４０、または適応ノード同期モジュール９４５を含み得る。
【００８４】
[0102]ＣＣＡモジュール９５０、干渉決定モジュール９４０、および適応ノード同期モジュール９４５の例示的な動作は、各々が共有無線周波数スペクトル帯域において動作する第１のノード、第２のノード、および第３のノードを参照しながら説明される。装置９０５は第３のノードに含まれ得る。第２のノードは、共有無線周波数スペクトル帯域において第１のノードに対して同期せずに動作し得る。いくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。いくつかの例では、少なくとも第１のノードおよび第３のノードは、高速バックホールを介して接続され得、ノードの同期されたクラスタとして動作可能であり得る。
【００８５】
[0103]いくつかの例では、ＣＣＡモジュール９５０は、共有無線周波数スペクトル帯域へのアクセスを求めて競合するために使用され得る。いくつかの例では、ＣＣＡモジュール９５０は、たとえば図３、図４Ａ、または図４Ｂを参照しながら説明したように、ＤＣＣＡを実行することによって共有無線周波数スペクトル帯域へのアクセスを求めて競合し得る。ＣＣＡモジュール９５０は、共有無線周波数スペクトル帯域にアクセスするために構成されるようにまたは動的に決定されるように、ＣＣＡまたはＥＣＣＡを実行するために使用され得る。
【００８６】
[0104]いくつかの例では、干渉決定モジュール９４０は、第３のノードにおいて、第１のノードにおける干渉を識別するために使用され得る。第１のノードにおける干渉は、共有無線周波数スペクトル帯域において動作する第２のノードによって引き起こされ得る。
【００８７】
[0105]いくつかの例では、干渉決定モジュール９４０は分散干渉インジケーション取得モジュール９６０を含み得、分散干渉インジケーション取得モジュール９６０は、第１のノードから受信された干渉インジケーションに少なくとも部分的に基づいて、第１のノードにおける干渉を識別するために使用され得る。干渉インジケーションは、たとえば、測定された干渉レベル、干渉が存在するというインジケーション（これはいくつかの例では、測定された干渉レベルがしきい値を満たすというインジケーションの形態をとり得る）、または、第２のノードが第１のノードによって検出可能であるというインジケーションを含み得る。干渉インジケーションが測定された干渉レベルを含むとき、第３のノードは、たとえば、測定された干渉レベルをしきい値と比較することによって第１のノードにおける干渉を識別し得る。干渉が存在するというインジケーションを干渉インジケーションが含むとき、第３のノードは、たとえば、このインジケーションに直接基づいて、第１のノードにおける干渉を識別し得る。第２のノードが第１のノードによって検出可能であるというインジケーションを干渉インジケーションが含むとき、第３のノードは、たとえば、第１のノードによる第２のノードの動作の検出可能性に少なくとも部分的に基づいて、または第２のノードの識別情報に少なくとも部分的に基づいて、または第２のノードのタイプに少なくとも部分的に基づいて、第１のノードにおける干渉を識別し得る。
【００８８】
[0106]いくつかの例では、適応ノード同期モジュール９４５は、共有無線周波数スペクトル帯域において、少なくとも第３のノードとの第１のノードの同期を適応的に有効にするために使用され得る。識別された干渉がしきい値を満たさないと干渉決定モジュール９４０によって決定されるとき、適応ノード同期モジュール９４５は、共有無線周波数スペクトル帯域における少なくとも第３のノードとの第１のノードの同期を有効にし得る。識別された干渉がしきい値を満たすと干渉決定モジュール９４０によって決定されるとき、適応ノード同期モジュール９４５は、共有無線周波数スペクトル帯域における少なくとも第３のノードとの第１のノードの同期を無効にし得る。
【００８９】
[0107]いくつかの例では、適応ノード同期モジュール９４５はＥＣＣＡ管理モジュール９５５を含み得る。識別された干渉がしきい値を満たさないと干渉決定モジュール９４０によって決定されるとき、ＥＣＣＡ管理モジュール９５５は、第３のノードによって実行されるＥＣＣＡを第１のノードによって実行されるＥＣＣＡと同期させるために使用され得る。識別された干渉がしきい値を満たすと干渉決定モジュール９４０によって決定されるとき、ＥＣＣＡ管理モジュール９５５は、第３のノードによって実行されるＥＣＣＡが第３のノードによって実行されるＥＣＣＡと独立に実行されることを許可し得る。
【００９０】
[0108]図１０は、本開示の様々な態様による、ワイヤレス通信における使用のための装置１００５のブロック図１０００を示す。装置１００５は、図１、図２、または図５を参照しながら説明した基地局１０５、２０５、２０５−ａ、５０５、５０５−ａ、または５０５−ｂのうちの１つまたは複数の態様、あるいは図７、図８、または図９を参照しながら説明した装置７０５、８０５、または９０５の態様の一例であり得る。装置１００５はまた、プロセッサであってよく、またはプロセッサを含んでもよい。装置１００５は、受信機モジュール１０１０、ワイヤレス通信管理モジュール１０２０、または送信機モジュール１０３０を含み得る。これらのモジュールの各々は、互いに通信し得る。
【００９１】
[0109]装置１００５のモジュールは、適用可能な機能の一部または全部をハードウェアで実行するように適合された１つまたは複数のＡＳＩＣｓを使用して、個別にまたは集合的にインプリメントされ得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリの中で具現化された命令を用いてインプリメントされ得る。
【００９２】
[0110]いくつかの例では、受信機モジュール１０１０は、認可無線周波数スペクトル帯域（たとえば、無線周波数スペクトル帯域が特定の使用のために特定のユーザに認可されているので、送信装置がアクセスを求めて競合しないことがある、ＬＴＥ／ＬＴＥ−Ａ通信のために使用可能な認可無線周波数スペクトル帯域などの無線周波数スペクトル帯域）、または共有無線周波数スペクトル帯域（たとえば、無線周波数スペクトル帯域がＷｉ−Ｆｉ使用などの無認可使用のために利用可能であるので、送信装置がアクセスを求めて競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または共有無線周波数スペクトル帯域は、たとえば、図１、図２、図３、図４Ａ、図４Ｂ、図５、または図６を参照しながら説明したように、ＬＴＥ／ＬＴＥ−Ａ通信のために使用され得る。受信機モジュール１０１０は、場合によっては、認可無線周波数スペクトル帯域および共有無線周波数スペクトル帯域のために別個の受信機を含み得る。別個の受信機は、いくつかの例では、認可無線周波数スペクトル帯域を介して通信するためのＬＴＥ／ＬＴＥ−Ａ受信機モジュール（たとえば、認可ＲＦスペクトル帯域のためのＬＴＥ／ＬＴＥ−Ａ受信機モジュール１０１２）、および共有無線周波数スペクトル帯域を介して通信するためのＬＴＥ／ＬＴＥ−Ａ受信機モジュール（たとえば、共有ＲＦスペクトル帯域のためのＬＴＥ／ＬＴＥ−Ａ受信機モジュール１０１４）の形態をとり得る。受信機モジュール１０１０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール受信機モジュール１０１６などの、バックホール受信機モジュールを含み得る。認可ＲＦスペクトル帯域のためのＬＴＥ／ＬＴＥ−Ａ受信機モジュール１０１２、共有ＲＦスペクトル帯域のためのＬＴＥ／ＬＴＥ−Ａ受信機モジュール１０１４、および／またはＬＴＥ／ＬＴＥ−Ａバックホール受信機モジュール１０１６を含む受信機モジュール１０１０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤードバックホールもしくはワイヤレスバックホールの１つまたは複数のバックホールリンクを介して、様々なタイプのデータまたは制御信号（すなわち、送信）を受信するために使用され得る。
【００９３】
[0111]いくつかの例では、送信機モジュール１０３０は、認可無線周波数スペクトル帯域または無認可無線周波数スペクトル帯域を介して送信するように動作可能なＲＦ送信機などの、ＲＦ送信機を含み得る。送信機モジュール１０３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（たとえば、認可ＲＦスペクトル帯域のためのＬＴＥ／ＬＴＥ−Ａ送信機モジュール１０３２）、および共有無線周波数スペクトル帯域を介して通信するためのＬＴＥ／ＬＴＥ−Ａ送信機モジュール（たとえば、共有ＲＦスペクトル帯域のためのＬＴＥ／ＬＴＥ−Ａ送信機モジュール１０３４）の形態をとり得る。送信機モジュール１０３０は、同じくまたは代替的に、ＬＴＥ／ＬＴＥ−Ａコアネットワークの１つまたは複数のＬＴＥ／ＬＴＥ−Ａ基地局または中心ノードと通信するためのＬＴＥ／ＬＴＥ−Ａバックホール送信機モジュール１０３６などの、バックホール送信機モジュールを含み得る。認可ＲＦスペクトル帯域のためのＬＴＥ／ＬＴＥ−Ａ送信機モジュール１０３２、共有ＲＦスペクトル帯域のためのＬＴＥ／ＬＴＥ−Ａ送信機モジュール１０３４、および／またはＬＴＥ／ＬＴＥ−Ａバックホール送信機モジュール１０３６を含む送信機モジュール１０３０は、図１、図２、または図５を参照しながら説明したワイヤレス通信システム１００、２００、または５００の、１つまたは複数の通信リンクまたはバックホールリンクなどの、ワイヤレス通信システムの１つまたは複数の通信リンク、またはワイヤレス通信システムの１つまたは複数のバックホールリンクを介して、様々なタイプのデータまたは制御信号（すなわち、送信）を送信するために使用され得る。
【００９４】
[0112]いくつかの例では、ワイヤレス通信管理モジュール１０２０は、装置１００５のためのワイヤレス通信の１つまたは複数の態様を管理するために使用され得る。いくつかの例では、ワイヤレス通信管理モジュール１０２０は、ＣＣＡモジュール１０５０、干渉決定モジュール１０４０、または適応ノード同期モジュール１０４５を含み得る。
【００９５】
[0113]ＣＣＡモジュール１０５０、干渉決定モジュール１０４０、および適応ノード同期モジュール１０４５の例示的な動作は、各々が共有無線周波数スペクトル帯域において動作する第１のノード、第２のノード、および第３のノードを参照しながら説明される。装置１００５は第１のノードに含まれ得る。第２のノードは、共有無線周波数スペクトル帯域において第１のノードに対して同期せずに動作し得る。いくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【００９６】
[0114]いくつかの例では、ＣＣＡモジュール１０５０は、共有無線周波数スペクトル帯域へのアクセスを求めて競合するために使用され得る。いくつかの例では、ＣＣＡモジュール１０５０は、たとえば図３、図４Ａ、または図４Ｂを参照しながら説明したように、ＤＣＣＡを実行することによって共有無線周波数スペクトル帯域へのアクセスを求めて競合し得る。ＣＣＡモジュール１０５０は、共有無線周波数スペクトル帯域にアクセスするために構成されるようにまたは動的に決定されるように、ＣＣＡまたはＥＣＣＡを実行するために使用され得る。
【００９７】
[0115]いくつかの例では、干渉決定モジュール１０４０は、共有無線周波数スペクトル帯域において動作する第２のノードによって引き起こされる第１のノードにおける干渉を、第１のノードにおいて識別するために使用され得る。いくつかの例では、干渉決定モジュール１０４０は、報告モジュール１０６０またはコマンド処理モジュール１０６５を含み得る。報告モジュール１０６０は、少なくとも第１のノードおよび第３のノードと通信している中心ノードに識別された干渉を報告するために使用され得る。いくつかの例では、中心ノードに識別された干渉を報告することは、たとえば、測定された干渉レベルを報告すること、干渉が存在するというインジケーション（これはいくつかの例では、測定された干渉レベルがしきい値を満たすというインジケーションの形態をとり得る）を提供すること、または第２のノードが検出可能であるというインジケーションを提供することを含み得る。
【００９８】
[0116]コマンド処理モジュール１０６５は、中心ノードからコマンドを受信するために使用され得る。コマンドは、共有無線周波数スペクトル帯域において、少なくとも第３のノードとの第１のノードの同期が有効にされるべきかどうかを示し得る。コマンドは、識別された干渉に少なくとも部分的に基づき得る。
【００９９】
[0117]いくつかの例では、適応ノード同期モジュール１０４５は、共有無線周波数スペクトル帯域において、少なくとも第３のノードとの第１のノードの同期を適応的に有効にするために使用され得る。同期が有効にされるべきであることを受信されたコマンドが示すと、コマンド処理モジュール１０６５によって決定されるとき、適応ノード同期モジュール１０４５は、共有無線周波数スペクトル帯域における少なくとも第３のノードとの第１のノードの同期を有効にし得る。同期が無効にされるべきであることを受信されたコマンドが示すと、干渉決定モジュール１０４０によって決定されるとき、適応ノード同期モジュール１０４５は、共有無線周波数スペクトル帯域における少なくとも第３のノードとの第１のノードの同期を無効にし得る。
【０１００】
[0118]いくつかの例では、適応ノード同期モジュール１０４５はＥＣＣＡ管理モジュール１０５５を含み得る。同期が有効にされるべきであることを受信されたコマンドが示すと干渉決定モジュール１０４０によって決定されるとき、ＥＣＣＡ管理モジュール１０５５は、第１のノードによって実行されるＥＣＣＡを少なくとも第３のノードによって実行されるＥＣＣＡと同期させるために使用され得る。同期が無効にされるべきであることを受信されたコマンドが示すと干渉決定モジュール１０４０によって決定されるとき、ＥＣＣＡ管理モジュール１０５５は、第１のノードによって実行されるＥＣＣＡが少なくとも第３のノードによって実行されるＥＣＣＡと独立に実行されることを許可し得る。
【０１０１】
[0119]図１１は、本開示の様々な態様による、ワイヤレス通信における使用のための装置１１０５のブロック図１１００を示す。装置１１０５は、図５を参照しながら説明した中心ノード５３５の態様、または図７を参照しながら説明した装置７０５の態様の一例であり得る。装置１１０５はまた、プロセッサであってよく、またはプロセッサを含んでもよい。装置１１０５は、受信機モジュール１１１０、ワイヤレス通信管理モジュール１１２０、または送信機モジュール１１３０を含み得る。これらのモジュールの各々は、互いに通信し得る。
【０１０２】
[0120]装置１１０５のモジュールは、適用可能な機能の一部または全部をハードウェアで実行するように適合された１つまたは複数のＡＳＩＣｓを使用して、個別にまたは集合的にインプリメントされ得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリの中で具現化された命令を用いてインプリメントされ得る。
【０１０３】
[0121]いくつかの例では、受信機モジュール１１１０は、１つまたは複数のＬＴＥ／ＬＴＥ−Ａ基地局と通信するためのＬＴＥ／ＬＴＥ−Ａバックホール受信機モジュール１１１２などの、バックホール受信機モジュールを含み得る。ＬＴＥ／ＬＴＥ−Ａバックホール受信機モジュール１１１２を含む受信機モジュール１１１０は、図１、図２、または図５を参照しながら説明したワイヤレス通信システム１００、２００、または５００の１つまたは複数のバックホールリンクなどの、ワイヤードバックホールまたはワイヤレスバックホールの１つまたは複数の通信リンクを介して様々なタイプのデータまたは制御信号（すなわち、送信）を受信するために使用され得る。
【０１０４】
[0122]いくつかの例では、送信機モジュール１１３０は、１つまたは複数のＬＴＥ／ＬＴＥ−Ａ基地局と通信するためのＬＴＥ／ＬＴＥ−Ａバックホール送信機モジュール１１３２などの、バックホール送信機モジュールを含み得る。ＬＴＥ／ＬＴＥ−Ａバックホール送信機モジュール１１３２を含む送信機モジュール１１３０は、図１、図２、または図５を参照しながら説明したワイヤレス通信システム１００、２００、または５００の１つまたは複数のバックホールリンクなどの、ワイヤレス通信システムの１つまたは複数のバックホールリンクを介して様々なタイプのデータまたは制御信号（すなわち、送信）を送信するために使用され得る。
【０１０５】
[0123]いくつかの例では、ワイヤレス通信管理モジュール１１２０は、装置１１０５と通信している１つまたは複数のノード（たとえば、基地局）のためのワイヤレス通信の１つまたは複数の態様を管理するために使用され得る。いくつかの例では、ワイヤレス通信管理モジュール１１２０は、干渉決定モジュール１１４０または適応ノード同期モジュール１１４５を含み得る。
【０１０６】
[0124]干渉決定モジュール１１４０および適応ノード同期モジュール１１４５の例示的な動作は、各々が共有無線周波数スペクトル帯域において動作する第１のノード、第２のノード、および第３のノードを参照しながら説明される。共有無線周波数スペクトル帯域は、無線周波数スペクトル帯域がＷｉ−Ｆｉ使用などの無認可使用のために利用可能であるので送信装置がアクセスを求めて競合する必要があり得る、無線周波数スペクトル帯域を含み得る。
【０１０７】
[0125]装置１１０５は、少なくとも第１のノードおよび第３のノードに関して中心ノードとして動作するノードに含まれ得る。中心ノードは、少なくとも第１のノードおよび第３のノードと通信し得る。第２のノードは、共有無線周波数スペクトル帯域において第１のノードに対して同期せずに動作し得る。いくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１０８】
[0126]いくつかの例では、干渉決定モジュール１１４０は、共有無線周波数スペクトル帯域において動作する第２のノードによって引き起こされる第１のノードにおける干渉を、中心ノードにおいて識別するために使用され得る。
【０１０９】
[0127]いくつかの例では、干渉決定モジュール９４０は干渉インジケーション取得モジュール１１５０を含むことがあり、干渉インジケーション取得モジュール１１５０は、第１のノードから受信された干渉インジケーションに少なくとも部分的に基づいて、第１のノードにおける干渉を識別するために使用され得る。干渉インジケーションは、たとえば、測定された干渉レベル、干渉が存在するというインジケーション（これはいくつかの例では、測定された干渉レベルがしきい値を満たすというインジケーションの形態をとり得る）、または、第２のノードが検出可能であるというインジケーションを含み得る。干渉インジケーションが測定された干渉レベルを含むとき、中心ノードは、たとえば、測定された干渉レベルをしきい値と比較することによって第１のノードにおける干渉を識別し得る。干渉が存在するというインジケーションを干渉インジケーションが含むとき、中心ノードは、たとえば、このインジケーションに直接基づいて、第１のノードにおける干渉を識別し得る。第２のノードが検出可能であるというインジケーションを干渉インジケーションが含むとき、中心ノードは、たとえば、第２のノードの動作の検出可能性に少なくとも部分的に基づいて、または第２のノードの識別情報に少なくとも部分的に基づいて、または第２のノードのタイプに少なくとも部分的に基づいて、第１のノードにおける干渉を識別し得る。
【０１１０】
[0128]いくつかの例では、適応ノード同期モジュール１１４５は、共有無線周波数スペクトル帯域において、少なくとも第３のノードとの第１のノードの同期を適応的に有効にするために使用され得る。識別された干渉がしきい値を満たさないと干渉決定モジュール１１４０によって決定されるとき、適応ノード同期モジュール１１４５は、共有無線周波数スペクトル帯域における少なくとも第３のノードとの第１のノードの同期を有効にし得る。識別された干渉がしきい値を満たすと干渉決定モジュール１１４０によって決定されるとき、適応ノード同期モジュール１１４５は、共有無線周波数スペクトル帯域における少なくとも第３のノードとの第１のノードの同期を無効にし得る。
【０１１１】
[0129]いくつかの例では、適応ノード同期モジュール１１４５は、ＥＣＣＡ管理モジュール１１５５またはコマンド送信管理モジュール１１６０を含み得る。いくつかの例では、ＥＣＣＡ管理モジュール１１５５は、共有無線周波数スペクトル帯域へのアクセスを求めて競合するときに、少なくとも第１のノードおよび第３のノードによって実行されるＥＣＣＡｓの同期を有効にすることによって、共有無線周波数スペクトル帯域において、少なくとも第３のノードとの第１のノードの同期を有効にするために使用され得る。いくつかの例では、ＥＣＣＡ管理モジュール１１５５は、共有無線周波数スペクトル帯域へのアクセスを求めて競合するときに、少なくとも第１のノードおよび第３のノードによって実行されるＥＣＣＡｓの同期を無効にすることによって、共有無線周波数スペクトル帯域において、少なくとも第３のノードとの第１のノードの同期を無効にするために使用され得る。
【０１１２】
[0130]いくつかの例では、コマンド送信管理モジュール１１６０は、少なくとも第１のノードおよび／または第３のノードに同期有効化コマンド（a synchronization enablement command）を送信することによって、共有無線周波数スペクトル帯域において、少なくとも第３のノードとの第１のノードの同期を有効にするために使用され得る。いくつかの例では、コマンド送信管理モジュール１１６０は、少なくとも第１のノードおよび／または第３のノードに同期無効化コマンド（a synchronization disablement command）を送信することによって、共有無線周波数スペクトル帯域において、少なくとも第３のノードとの第１のノードの同期を無効にするために使用され得る。
【０１１３】
[0131]図１２は、本開示の様々な態様による、ワイヤレス通信における使用のための基地局１２０５（たとえば、ｅＮＢの一部または全部を形成する基地局）のブロック図１２００を示す。いくつかの例では、基地局１２０５は、図１、図２、または図５を参照しながら説明した基地局１０５、２０５、２０５−ａ、５０５、５０５−ａ、または５０５−ｂの１つまたは複数の態様、あるいは図７、図８、図９、または図１０を参照しながら説明した装置７０５、８０５、９０５、または１００５の態様の一例であり得る。基地局１２０５は、図１、図２、図３、図４Ａ、図４Ｂ、図５、図６、図７、図８、図９、または図１０を参照しながら説明した基地局の特徴および機能の少なくとも一部をインプリメントまたは容易にするように構成され得る。
【０１１４】
[0132]基地局１２０５は、基地局プロセッサモジュール１２１０、基地局メモリモジュール１２２０、（（１つまたは複数の）基地局トランシーバモジュール１２５０によって表される）少なくとも１つの基地局トランシーバモジュール、（（１つまたは複数の）基地局アンテナ１２５５によって表される）少なくとも１つの基地局アンテナ、または基地局ワイヤレス通信管理モジュール１２６０を含み得る。基地局１２０５はまた、基地局通信モジュール１２３０またはネットワーク通信モジュール１２４０のうちの１つまたは複数を含み得る。これらのコンポーネントの各々は、１つまたは複数のバス１２３５を介して、直接または間接的に互いに通信し得る。
【０１１５】
[0133]基地局メモリモジュール１２２０は、ランダムアクセスメモリ（ＲＡＭ）または読取り専用メモリ（ＲＯＭ）を含み得る。基地局メモリモジュール１２２０は、実行されると、共有無線周波数スペクトル帯域において動作する１つまたは複数の他のノードまたは基地局との同期の適応的な有効化を含む、ワイヤレス通信に関する本明細書で説明する様々な機能を基地局プロセッサモジュール１２１０に実行させるように構成された命令を含む、コンピュータ可読のコンピュータ実行可能コード１２２５を記憶し得る。代替的に、コード１２２５は、基地局プロセッサモジュール１２１０によって直接実行可能でないことがあるが、（たとえば、コンパイルおよび実行されたとき）本明細書で説明する様々な機能を基地局１２０５に実行させるように構成され得る。
【０１１６】
[0134]基地局プロセッサモジュール１２１０は、インテリジェントハードウェアデバイス、たとえば、中央処理装置（ＣＰＵ）、マイクロコントローラ、ＡＳＩＣなどを含み得る。基地局プロセッサモジュール１２１０は、（１つまたは複数の）基地局トランシーバモジュール１２５０、基地局通信モジュール１２３０、またはネットワーク通信モジュール１２４０を通じて受信された情報を処理し（process）得る。基地局プロセッサモジュール１２１０はまた、（１つまたは複数の）アンテナ１２５５を通じた送信のために（１つまたは複数の）トランシーバモジュール１２５０へ送られるべき情報、１つまたは複数の他の基地局１２０５−ａおよび１２０５−ｂへの送信のために基地局通信モジュール１２３０へ送られるべき情報、あるいは図１に関して説明したコアネットワーク１３０の１つまたは複数の態様の一例であり得る、コアネットワーク１２４５への送信のためにネットワーク通信モジュール１２４０へ送られるべき情報を、処理し得る。基地局プロセッサモジュール１２１０は、単独でまたは基地局ワイヤレス通信管理モジュール１２６０とともに、認可無線周波数スペクトル帯域（たとえば、無線周波数スペクトル帯域が特定の使用のために特定のユーザに認可されているので、装置がアクセスを求めて競合しない、ＬＴＥ／ＬＴＥ−Ａ通信のために使用可能な認可無線周波数スペクトル帯域などの無線周波数スペクトル帯域）、または共有無線周波数スペクトル帯域（たとえば、無線周波数スペクトル帯域がＷｉ−Ｆｉ使用などの無認可使用のために利用可能であるので、装置がアクセスを求めて競合する必要があり得る無線周波数スペクトル帯域）を介して通信すること（または、そうした帯域を介した通信を管理すること）の様々な態様を処理し（handle）得る。
【０１１７】
[0135]（１つまたは複数の）基地局トランシーバモジュール１２５０は、パケットを変調し、変調されたパケットを送信のために（１つまたは複数の）基地局アンテナ１２５５に提供し、（１つまたは複数の）基地局アンテナ１２５５から受信されたパケットを復調するように構成されたモデムを含み得る。（１つまたは複数の）基地局トランシーバモジュール１２５０は、いくつかの例では、１つまたは複数の基地局送信機モジュール、および１つまたは複数の別個の基地局受信機モジュールとしてインプリメントされ得る。（１つまたは複数の）基地局トランシーバモジュール１２５０は、認可無線周波数スペクトル帯域または無認可無線周波数スペクトル帯域における通信をサポートし得る。（１つまたは複数の）基地局トランシーバモジュール１２５０は、図１、または図２を参照しながら説明したＵＥｓ１１５、２１５、２１５−ａ、２１５−ｂ、または２１５−ｃのうちの１つまたは複数などの、１つまたは複数のＵＥｓまたは装置と、（１つまたは複数の）アンテナ１２５５を介して双方向に通信するように構成され得る。基地局１２０５は、たとえば、複数の基地局アンテナ１２５５（たとえば、アンテナアレイ）を含み得る。基地局１２０５は、ネットワーク通信モジュール１２４０を通じてコアネットワーク１２４５と通信し得る。基地局１２０５はまた、基地局通信モジュール１２３０を使用して、基地局１２０５−ａおよび１２０５−ｂなどの他の基地局と通信し得る。
【０１１８】
[0136]基地局ワイヤレス通信管理モジュール１２６０は、認可無線周波数スペクトル帯域または共有無線周波数スペクトル帯域を介したワイヤレス通信に関して図１、図２、図３、図４Ａ、図４Ｂ、図５、図６、図７、図８、図９、または図１０を参照しながら説明した特徴または機能の一部または全部を実行または制御するように構成され得る。たとえば、基地局ワイヤレス通信管理モジュール１２６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。基地局ワイヤレス通信管理モジュール１２６０は、認可無線周波数スペクトル帯域におけるＬＴＥ／ＬＴＥ−Ａ通信を処理するように構成された認可ＲＦスペクトル帯域用の基地局ＬＴＥ／ＬＴＥ−Ａモジュール１２６５と、共有無線周波数スペクトル帯域におけるＬＴＥ／ＬＴＥ−Ａ通信を処理するように構成された共有ＲＦスペクトル帯域用の基地局ＬＴＥ／ＬＴＥ−Ａモジュール１２７０とを含み得る。基地局ワイヤレス通信管理モジュール１２６０またはそれの部分は、プロセッサを含み得、あるいは基地局ワイヤレス通信管理モジュール１２６０の機能の一部または全部は、基地局プロセッサモジュール１２１０によって、または基地局プロセッサモジュール１２１０とともに実行され得る。いくつかの例では、基地局ワイヤレス通信管理モジュール１２６０は、図７、図８、図９、または図１０を参照しながら説明したワイヤレス通信管理モジュール７２０、８２０、９２０、または１０２０の一例であり得る。
【０１１９】
[0137]図１３は、本開示の様々な態様による、ワイヤレス通信における使用のための中心ノード１３３５（たとえば、図１または図１２を参照しながら説明したコアネットワーク１３０または１２４５のノード）のブロック図１３００を示す。いくつかの例では、中心ノード１３３５は、図５を参照しながら説明した中心ノード５３５の１つまたは複数の態様、または図１１に関して説明した装置１１０５の態様の一例であり得る。中心ノード１３３５は、図５または図１１を参照しながら説明した中心ノードの特徴および機能のうちの少なくともいくつかをインプリメントまたは容易にするように構成され得る。
【０１２０】
[0138]中心ノード１３３５は、中心ノードプロセッサモジュール１３１０、中心ノードメモリモジュール１３２０、または中心ノードワイヤレス通信管理モジュール１３６０を含み得る。中心ノード１３３５はまた、中心ノード通信モジュール１３３０を含み得る。これらのコンポーネントの各々は、１つまたは複数のバス１３４０を介して、直接または間接的に互いに通信し得る。
【０１２１】
[0139]中心ノードメモリモジュール１３２０は、ＲＡＭまたはＲＯＭを含み得る。中心ノードメモリモジュール１３２０は、実行されると、共有無線周波数スペクトル帯域において動作するノードまたは基地局の間の同期の適応的な有効化を含む、ワイヤレス通信に関する本明細書で説明する様々な機能を中心ノードプロセッサモジュール１３１０に実行させるように構成された命令を含む、コンピュータ可読のコンピュータ実行可能コード１３２５を記憶し得る。代替として、コード１３２５は、中心ノードプロセッサモジュール１３１０によって直接実行可能ではないことがあるが、（たとえば、コンパイルされ実行されると）本明細書で説明する様々な機能を中心ノード１３３５に実行させるように構成され得る。
【０１２２】
[0140]中心ノードプロセッサモジュール１３１０は、インテリジェントハードウェアデバイス、たとえば、ＣＰＵ、マイクロコントローラ、ＡＳＩＣなどを含み得る。中心ノードプロセッサモジュール１３１０は、１つまたは複数の基地局１３０５−ａおよび１３０５−ｂから中心ノード通信モジュール１３３０を通じて受信される情報を処理し得る。中心ノードプロセッサモジュール１３１０はまた、１つまたは複数の基地局１３０５−ａおよび１３０５−ｂへの送信のために、中心ノード通信モジュール１３３０に送信されるべき情報を処理し得る。中心ノードプロセッサモジュール１３１０は、単独でまたは中心ノードワイヤレス通信管理モジュール１３６０とともに、認可無線周波数スペクトル帯域（たとえば、無線周波数スペクトル帯域がＬＴＥ／ＬＴＥ−Ａ通信のために使用可能な認可無線周波数スペクトル帯域などの特定の使用のために特定のユーザに認可されているので、装置がアクセスを求めて競合しない無線周波数スペクトル帯域）、または共有無線周波数スペクトル帯域（たとえば、無線周波数スペクトル帯域がＷｉ−Ｆｉ使用などの無認可使用のために利用可能であるので、装置がアクセスを求めて競合する必要があり得る無線周波数スペクトル帯域）を介して通信すること（またはその帯域を介した通信を管理すること）の様々な態様を処理し得る。
【０１２３】
[0141]中心ノードワイヤレス通信管理モジュール１３６０は、認可無線周波数スペクトル帯域または共有無線周波数スペクトル帯域を介したワイヤレス通信に関する、図１、図２、図３、図４Ａ、図４Ｂ、図５、図６、または図１１を参照しながら説明した特徴または機能の一部または全部を実行または制御するように構成され得る。たとえば、中心ノードワイヤレス通信管理モジュール１３６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。中心ノードワイヤレス通信管理モジュール１３６０は、認可無線周波数スペクトル帯域におけるＬＴＥ／ＬＴＥ−Ａ通信を処理するように構成された認可ＲＦスペクトル帯域のための中心ノードＬＴＥ／ＬＴＥ−Ａモジュール１３６５と、共有無線周波数スペクトル帯域におけるＬＴＥ／ＬＴＥ−Ａ通信を処理するように構成された共有ＲＦスペクトル帯域のための中心ノードＬＴＥ／ＬＴＥ−Ａモジュール１３７０とを含み得る。中心ノードワイヤレス通信管理モジュール１３６０またはその一部は、プロセッサを含み得、あるいは中心ノードワイヤレス通信管理モジュール１３６０の機能の一部または全部は、中心ノードプロセッサモジュール１３１０によって、または中心ノードプロセッサモジュール１３１０とともに実行され得る。いくつかの例では、中心ノードワイヤレス通信管理モジュール１３６０は、図１１を参照しながら説明したワイヤレス通信管理モジュール１１２０の一例であり得る。
【０１２４】
[0142]図１４は、本開示の様々な態様による、ワイヤレス通信のための方法１４００の一例を示すフローチャートである。明快のために、方法１４００は、図１、図２、図５、または図１２を参照しながら説明した基地局１０５、２０５、２０５−ａ、５０５、５０５−ａ、５０５−ｂ、または１２０５のうちの１つまたは複数の態様、図１、図５、または図１３を参照しながら説明した中心ノード１３５、５３５、または１３３５のうちの１つまたは複数の態様、あるいは図７、図８、図９、図１０、または図１１を参照しながら説明した装置７０５、８０５、９０５、１００５、または１１３５のうちの１つまたは複数の態様を参照しながら以下で説明される。いくつかの例では、基地局、中心ノード、または装置は、以下で説明する機能を実行するように基地局、中心ノード、または装置の機能的要素を制御するために、コードの１つまたは複数のセットを実行し得る。追加または代替として、基地局、中心ノード、または装置は、専用ハードウェアを使用して、以下で説明する機能のうちの１つまたは複数を実行し得る。
【０１２５】
[0143]ブロック１４０５において、方法１４００は、共有無線周波数スペクトル帯域において動作する第１のノードにおける干渉を識別することを含み得る。この干渉は、共有無線周波数スペクトル帯域において動作する第２のノードによって引き起こされ得る。第２のノードは、共有無線周波数スペクトル帯域において第１のノードに対して同期せずに動作し得る。共有無線周波数スペクトル帯域は、無線周波数スペクトル帯域がＷｉ−Ｆｉ使用などの無認可使用のために利用可能であるので送信装置がアクセスを求めて競合する必要があり得る、無線周波数スペクトル帯域を含み得る。ブロック１４０５における（１つまたは複数の）動作は、図７、図８、図９、図１０、図１１、図１２、または図１３を参照しながら説明したワイヤレス通信管理モジュール７２０、８２０、９２０、１０２０、１１２０、１２６０、または１３６０、あるいは図７、図８、図９、図１０、または図１１を参照しながら説明した干渉決定モジュール７４０、８４０、９４０、１０４０、または１１４０を使用して実行され得る。
【０１２６】
[0144]ブロック１４１０において、方法１４００は、識別された干渉に少なくとも部分的に基づいて、共有無線周波数スペクトル帯域における少なくとも第３のノードとの第１のノードの同期を適応的に有効にすることを含み得る。ブロック１４１０における（１つまたは複数の）動作は、図７、図８、図９、図１０、図１１、図１２、または図１３を参照しながら説明したワイヤレス通信管理モジュール７２０、８２０、９２０、１０２０、１１２０、１２６０、または１３６０、あるいは図７、図８、図９、図１０、または図１１を参照しながら説明した適応ノード同期モジュール７４５、８４５、９４５、１０４５、または１１４５を使用して実行され得る。
【０１２７】
[0145]第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１２８】
[0146]したがって、方法１４００はワイヤレス通信を提供し得る。方法１４００は一インプリメンテーション（one implementation）にすぎないこと、および方法１４００の動作は、他のインプリメンテーションが可能であるように再構成される（be rearranged）かまたは別の方法で修正され得ることに留意されたい。
【０１２９】
[0147]図１５は、本開示の様々な態様による、ワイヤレス通信のための方法１５００の一例を示すフローチャートである。明快のために、方法１５００は、図１、図２、図５、または図１２を参照しながら説明した基地局１０５、２０５、２０５−ａ、５０５、５０５−ａ、５０５−ｂ、または１２０５のうちの１つまたは複数の態様、あるいは図７、図８、図９、または図１０を参照しながら説明した装置７０５、８０５、９０５、または１００５のうちの１つまたは複数の態様を参照しながら以下で説明される。いくつかの例では、基地局または装置は、以下で説明する機能を実行するように基地局または装置の機能的要素を制御するためのコードの１つまたは複数のセットを実行し得る。追加または代替として、基地局または装置は、専用ハードウェアを使用して、以下で説明する機能のうちの１つまたは複数を実行し得る。
【０１３０】
[0148]ブロック１５０５において、方法１５００は、共有無線周波数スペクトル帯域において動作する第１のノードにおいて、共有無線周波数スペクトル帯域において動作する第２のノードによって引き起こされる第１のノードにおける干渉を識別することを含み得る。第２のノードは、共有無線周波数スペクトル帯域において第１のノードに対して同期せずに動作し得る。共有無線周波数スペクトル帯域は、無線周波数スペクトル帯域がＷｉ−Ｆｉ使用などの無認可使用のために利用可能であるので送信装置がアクセスを求めて競合する必要があり得る、無線周波数スペクトル帯域を含み得る。
【０１３１】
[0149]いくつかの例では、第１のノードは、測定された干渉レベルまたは第２のノードの動作の検出可能性に少なくとも部分的に基づいて、第１のノードにおける干渉を識別し得る。干渉が測定された干渉レベルに基づくとき、第１のノードは、たとえば、干渉レベルをしきい値と比較することによって、第１のノードにおける干渉を識別し得る。干渉が第２のノードの動作の検出可能性に基づいて識別されるとき、干渉は、第２のノードの動作の検出可能性に少なくとも部分的に基づいて、または第２のノードの識別情報に少なくとも部分的に基づいて、または第２のノードのタイプに少なくとも部分的に基づいて、識別され得る。
【０１３２】
[0150]ブロック１５０５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した干渉決定モジュール７４０、８４０、９４０、または１０４０を使用して実行され得る。
【０１３３】
[0151]ブロック１５１０において、方法１５００は、識別された干渉がしきい値を満たすかどうかを決定することを含み得る。識別された干渉がしきい値を満たさないとき、方法１５００はブロック１５１５において継続し得る。識別された干渉がしきい値を満たすとき、方法１５００はブロック１５２５において継続し得る。代替として、ブロック１５１０は、第１のノードにおける干渉が存在するかどうかに少なくとも部分的に基づいて、方法１５００のための後続のフローを選択し得る。ブロック１５１０における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した干渉決定モジュール７４０、８４０、９４０、または１０４０を使用して実行され得る。
【０１３４】
[0152]ブロック１５１５または１５２５において、方法１５００は、共有無線周波数スペクトル帯域において、少なくとも第３のノードとの第１のノードの同期を適応的に有効または無効にすることを含み得る。適応的な有効化または無効化は、ブロック１５１０において行われる決定に少なくとも部分的に基づき得る。ブロック１５１５において、識別された干渉がしきい値を満たさないとブロック１５１０において決定されるとき、方法１５００は、共有無線周波数スペクトル帯域における少なくとも第３のノードとの第１のノードの同期を有効にすることを含み得る。ブロック１５１５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１３５】
[0153]ブロック１５２０において、方法１５００は、共有無線周波数スペクトル帯域へのアクセスを求めて競合するとき、第３のノードと同期してＥＣＣＡを実行することを含み得る。ブロック１５２０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１３６】
[0154]ブロック１５２５において、識別された干渉がしきい値を満たすとブロック１５１０において決定されるとき、方法１５００は、共有無線周波数スペクトル帯域における少なくとも第３のノードとの第１のノードの同期を無効にすることを含み得る。ブロック１５２５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１３７】
[0155]ブロック１５３０において、方法１５００は、共有無線周波数スペクトル帯域へのアクセスを求めて競合するとき、第３のノードとは独立にＥＣＣＡを実行することを含み得る。ブロック１５３０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１３８】
[0156]方法１５００のいくつかの例では、ブロック１５０５、１５１０、１５１５、１５２０、１５２５、および／または１５３０の各々において実行される動作は、第１のノードによって実行され得る。第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１３９】
[0157]したがって、方法１５００はワイヤレス通信を提供し得る。方法１５００は一インプリメンテーションにすぎないこと、および方法１５００の動作は、他のインプリメンテーションが可能であるように再構成されるかまたは別の方法で修正され得ることに留意されたい。
【０１４０】
[0158]図１６は、本開示の様々な態様による、ワイヤレス通信のための方法１６００の例を示すフローチャートである。明快のために、方法１６００は、図１、図２、図５、または図１２を参照しながら説明した基地局１０５、２０５、２０５−ａ、５０５、５０５−ａ、５０５−ｂ、または１２０５のうちの１つまたは複数の態様、あるいは図７、図８、図９、または図１０を参照しながら説明した装置７０５、８０５、９０５、または１００５のうちの１つまたは複数の態様を参照しながら以下で説明される。いくつかの例では、基地局または装置は、以下で説明する機能を実行するように基地局または装置の機能的要素を制御するためのコードの１つまたは複数のセットを実行し得る。追加または代替として、基地局または装置は、専用ハードウェアを使用して、以下で説明する機能のうちの１つまたは複数を実行し得る。
【０１４１】
[0159]ブロック１６０５において、方法１６００は、共有無線周波数スペクトル帯域において動作する第３のノードにおいて、共有無線周波数スペクトル帯域において動作する第１のノードにおける干渉を識別することを含み得る。第１のノードにおける干渉は、共有無線周波数スペクトル帯域において動作する第２のノードによって引き起こされ得る。第２のノードは、共有無線周波数スペクトル帯域において第１のノードに対して同期せずに動作し得る。共有無線周波数スペクトル帯域は、無線周波数スペクトル帯域がＷｉ−Ｆｉ使用などの無認可使用のために利用可能であるので送信装置がアクセスを求めて競合する必要があり得る、無線周波数スペクトル帯域を含み得る。
【０１４２】
[0160]いくつかの例では、第３のノードは、第１のノードから受信される干渉インジケーションに少なくとも部分的に基づいて、第１のノードにおける干渉を識別し得る。干渉インジケーションは、たとえば、測定された干渉レベル、干渉が存在するというインジケーション（これはいくつかの例では、測定された干渉レベルがしきい値を満たすというインジケーションの形態をとり得る）、または、第２のノードが第１のノードによって検出可能であるというインジケーションを含み得る。干渉インジケーションが測定された干渉レベルを含むとき、第３のノードは、たとえば、測定された干渉レベルをしきい値と比較することによって第１のノードにおける干渉を識別し得る。干渉が存在するというインジケーションを干渉インジケーションが含むとき、第３のノードは、たとえば、このインジケーションに直接基づいて、第１のノードにおける干渉を識別し得る。第２のノードが第１のノードによって検出可能であるというインジケーションを干渉インジケーションが含むとき、第３のノードは、たとえば、第１のノードによる第２のノードの動作の検出可能性に少なくとも部分的に基づいて、または第２のノードの識別情報に少なくとも部分的に基づいて、または第２のノードのタイプに少なくとも部分的に基づいて、第１のノードにおける干渉を識別し得る。
【０１４３】
[0161]いくつかの例では、少なくとも第１のノードおよび第３のノードは、高速バックホールを介して接続され得、ノードの同期されたクラスタとして動作可能であり得る。これらの例では、ノードの同期されたクラスタにおいて動作することが可能なノードの各々は、ノードの同期されたクラスタにおいて動作することが可能な１つまたは複数の他のノードから受信される１つまたは複数のインジケーションに基づいて、方法１６００を実行し得る。１つまたは複数のインジケーションは、高速なバックホールを介してノードによって受信され得る。このようにして、方法１６００は、分散された方式で実行され得る。
【０１４４】
[0162]ブロック１６０５における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した干渉決定モジュール７４０、８４０、９４０、または１０４０、あるいは図９を参照しながら説明した分散干渉インジケーション取得モジュール９６０を使用して実行され得る。
【０１４５】
[0163]ブロック１６１０において、方法１６００は、識別された干渉がしきい値を満たすかどうかを決定することを含み得る。識別された干渉がしきい値を満たさないとき、方法１６００はブロック１６１５において継続し得る。識別された干渉がしきい値を満たすとき、方法１６００はブロック１６２５において継続し得る。代替として、ブロック１６１０は、第１のノードにおける干渉が存在するかどうかに少なくとも部分的に基づいて、方法１６００のための後続のフローを選択し得る。ブロック１６１０における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した干渉決定モジュール７４０、８４０、９４０、または１０４０を使用して実行され得る。
【０１４６】
[0164]ブロック１６１５または１６２５において、方法１６００は、共有無線周波数スペクトル帯域において、少なくとも第３のノードとの第１のノードの同期を適応的に有効または無効にすることを含み得る。適応的な有効化または無効化は、ブロック１６１０において行われる決定に少なくとも部分的に基づき得る。ブロック１６１５において、識別された干渉がしきい値を満たさないとブロック１６１０において決定されるとき、方法１６００は、共有無線周波数スペクトル帯域における少なくとも第３のノードとの第１のノードの同期を有効にすることを含み得る。ブロック１６１５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１４７】
[0165]ブロック１６２０において、方法１６００は、共有無線周波数スペクトル帯域へのアクセスを求めて競合するとき、第１のノードと同期してＥＣＣＡを実行することを含み得る。ブロック１６２０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１４８】
[0166]ブロック１６２５において、識別された干渉がしきい値を満たすとブロック１６１０において決定されるとき、方法１６００は、共有無線周波数スペクトル帯域における少なくとも第３のノードとの第１のノードの同期を無効にすることを含み得る。ブロック１６２５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１４９】
[0167]ブロック１６３０において、方法１６００は、共有無線周波数スペクトル帯域へのアクセスを求めて競合するとき、第１のノードとは独立にＥＣＣＡを実行することを含み得る。ブロック１６３０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１５０】
[0168]方法１６００のいくつかの例では、ブロック１６０５、１６１０、１６１５、１６２０、１６２５、および／または１６３０の各々において実行される動作は、第３のノードによって実行され得る。第３のノードはまた、第３のノードと同期されることが可能な、第１のノード以外の１つまたは複数のノード（たとえば、スモールセルのクラスタなど）のための、ブロック１６０５、１６１０、１６１５、１６２０、１６２５、および／または１６３０における動作を実行し得る。
【０１５１】
[0169]方法１６００のいくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１５２】
[0170]このようにして、方法１６００はワイヤレス通信を提供し得る。方法１６００は一インプリメンテーションにすぎないこと、および方法１６００の動作は、他のインプリメンテーションが可能であるように再構成されるかまたは別の方法で修正され得ることに留意されたい。
【０１５３】
[0171]図１７は、本開示の様々な態様による、ワイヤレス通信のための方法１７００の一例を示すフローチャートである。明快のために、方法１７００は、図１、図２、図５、または図１２を参照しながら説明した基地局１０５、２０５、２０５−ａ、５０５、５０５−ａ、５０５−ｂ、または１２０５のうちの１つまたは複数の態様、あるいは図７、図８、図９、または図１０を参照しながら説明した装置７０５、８０５、９０５、または１００５のうちの１つまたは複数の態様を参照しながら以下で説明される。いくつかの例では、基地局または装置は、以下で説明する機能を実行するように基地局または装置の機能的要素を制御するためのコードの１つまたは複数のセットを実行し得る。追加または代替として、基地局または装置は、専用ハードウェアを使用して、以下で説明する機能のうちの１つまたは複数を実行し得る。
【０１５４】
[0172]ブロック１７０５において、方法１７００は、共有無線周波数スペクトル帯域において動作する第１のノードにおいて、共有無線周波数スペクトル帯域において動作する第２のノードによって引き起こされる第１のノードにおける干渉を識別することを含み得る。第２のノードは、共有無線周波数スペクトル帯域において第１のノードに対して同期せずに動作し得る。共有無線周波数スペクトル帯域は、無線周波数スペクトル帯域がＷｉ−Ｆｉ使用などの無認可使用のために利用可能であるので送信装置がアクセスを求めて競合する必要があり得る、無線周波数スペクトル帯域を含み得る。ブロック１７０５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した干渉決定モジュール７４０、８４０、９４０、または１０４０を使用して実行され得る。
【０１５５】
[0173]ブロック１７１０において、方法１７００は、少なくとも第１のノードおよび第３のノードと通信している中心ノードに識別された干渉を報告することを含み得る。第３のノードはまた、共有無線周波数スペクトル帯域において動作し得る。いくつかの例では、中心ノードに識別された干渉を報告することは、たとえば、測定された干渉レベルを報告すること、干渉が存在するというインジケーション（これはいくつかの例では、測定された干渉レベルがしきい値を満たすというインジケーションの形態をとり得る）を提供すること、または第２のノードが検出可能であるというインジケーションを提供することを含み得る。ブロック１７１０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した干渉決定モジュール７４０、８４０、９４０、または１０４０、あるいは図１０を参照しながら説明した報告モジュール１０６０を使用して実行され得る。
【０１５６】
[0174]ブロック１７１５において、方法１７００は、中心ノードからコマンドを受信することを含み得る。コマンドは、共有無線周波数スペクトル帯域において、少なくとも第３のノードとの第１のノードの同期が有効にされるべきかどうかを示し得る。コマンドは、識別された干渉に少なくとも部分的に基づき得る。ブロック１７１５における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明された干渉決定モジュール７４０、８４０、９４０、または１０４０、あるいは図１０を参照しながら説明したコマンド処理モジュール１０６５を使用して実行され得る。
【０１５７】
[0175]ブロック１７２０において、方法１７００は、共有無線周波数スペクトル帯域において、少なくとも第３のノードとの第１のノードの同期が有効にされるべきであることをブロック１７１５において受信されたコマンドが示すかどうかを決定することを含み得る。同期が有効にされるべきであることをコマンドが示すとき、方法１７００はブロック１７２５において継続し得る。同期が無効にされるべきであることをコマンドが示すとき、方法１７００はブロック１７３５において継続し得る。ブロック１７２０における（１つまたは複数の）動作は、図７、図８、図９、図１０、または図１２を参照しながら説明したワイヤレス通信管理モジュール７２０、８２０、９２０、１２０、または１２６０、図７、図８、図９、または図１０を参照しながら説明された干渉決定モジュール７４０、８４０、９４０、または１０４０、あるいは図１０を参照しながら説明したコマンド処理モジュール１０６５を使用して実行され得る。
【０１５８】
[0176]ブロック１７２５または１７３５において、方法１７００は、共有無線周波数スペクトル帯域において、少なくとも第３のノードとの第１のノードの同期を適応的に有効または無効にすることを含み得る。適応的な有効化または無効化は、ブロック１７１５において受信されるコマンドまたはブロック１７２０において行われる決定に少なくとも部分的に基づき得る。ブロック１７２５において、同期が有効にされるべきであることをコマンドが示すとブロック１７２０において決定されるとき、方法１７００は、共有無線周波数スペクトル帯域における少なくとも第３のノードとの第１のノードの同期を有効にすることを含み得る。ブロック１７２５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１５９】
[0177]ブロック１７３０において、方法１７００は、共有無線周波数スペクトル帯域へのアクセスを求めて競合するとき、第３のノードと同期してＥＣＣＡを実行することを含み得る。ブロック１７３０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１６０】
[0178]ブロック１７３５において、同期が無効にされるべきであることをコマンドが示すとブロック１７２０において決定されるとき、方法１７００は、共有無線周波数スペクトル帯域における少なくとも第３のノードとの第１のノードの同期を無効にすることを含み得る。ブロック１７３５における（１つまたは複数の）動作は、図７、図８、図９、図１０、または図１２を参照しながら説明したワイヤレス通信管理モジュール７２０、８２０、９２０、１０２０、または１２６０、あるいは図７、図８、図９、または図１０を参照しながら説明した適応ノード同期モジュール７４５、８４５、９４５、または１０４５を使用して実行され得る。
【０１６１】
[0179]ブロック１７４０において、方法１７００は、共有無線周波数スペクトル帯域へのアクセスを求めて競合するとき、第３のノードとは独立にＥＣＣＡを実行することを含み得る。ブロック１７４０における（１つまたは複数の）動作は、図７、図８、図９、図１０、または図１２を参照しながら説明したワイヤレス通信管理モジュール７２０、８２０、９２０、１０２０、または１２６０、図７、図８、図９、または図１０を参照しながら説明した適応ノード同期モジュール７４５、８４５、９４５、または１０４５、あるいは図８、図９、または図１０を参照しながら説明したＥＣＣＡ管理モジュール８５５、９５５、または１０５５を使用して実行され得る。
【０１６２】
[0180]方法１７００のいくつかの例では、ブロック１７０５、１７１０、１７１５、１７２０、１７２５、１７３０、１７３５、および／または１７４０の各々において実行される動作は、第１のノードによって実行され得る。第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１６３】
[0181]このようにして、方法１７００はワイヤレス通信を提供し得る。方法１７００は一インプリメンテーションにすぎないこと、および方法１７００の動作は、他のインプリメンテーションが可能であるように再構成されるかまたは別の方法で修正され得ることに留意されたい。
【０１６４】
[0182]図１８は、本開示の様々な態様による、ワイヤレス通信のための方法１８００の一例を示すフローチャートである。明快のために、方法１８００は、図１、図５、または図１３を参照しながら説明した中心ノード１３５、５３５、または１３３５のうちの１つまたは複数の態様、あるいは図７または図１１を参照しながら説明した装置７１５または１１３５の態様を参照しながら以下で説明される。いくつかの例では、中心ノードまたは装置は、以下で説明する機能を実行するように中心ノードまたは装置の機能的要素を制御するためのコードの１つまたは複数のセットを実行し得る。追加または代替として、中心ノードまたは装置は、専用ハードウェアを使用して、以下で説明する機能のうちの１つまたは複数を実行し得る。
【０１６５】
[0183]ブロック１８０５において、方法１８００は、少なくとも、共有無線周波数スペクトル帯域において動作する第１のノードおよび共有無線周波数スペクトル帯域において動作する第３のノードと通信している中心ノードにおいて、第１のノードにおける干渉を識別することを含み得る。第１のノードにおける干渉は、共有無線周波数スペクトル帯域において動作する第２のノードによって引き起こされ得る。第２のノードは、共有無線周波数スペクトル帯域において第１のノードに対して同期せずに動作し得る。無線周波数スペクトル帯域がＷｉ−Ｆｉ使用などの無認可使用のために利用可能であるので、送信装置がアクセスを求めて競合する必要があり得る無線周波数スペクトル帯域を、共有無線周波数スペクトル帯域は含み得る。
【０１６６】
[0184]いくつかの例では、中心ノードは、第１のノードから受信される干渉インジケーションに少なくとも部分的に基づいて、第１のノードにおける干渉を識別し得る。干渉インジケーションは、たとえば、測定された干渉レベル、干渉が存在するというインジケーション（これはいくつかの例では、測定された干渉レベルがしきい値を満たすというインジケーションの形態をとり得る）、または、第２のノードが検出可能であるというインジケーションを含み得る。干渉インジケーションが測定された干渉レベルを含むとき、中心ノードは、たとえば、測定された干渉レベルをしきい値と比較することによって第１のノードにおける干渉を識別し得る。干渉が存在するというインジケーションを干渉インジケーションが含むとき、中心ノードは、たとえば、このインジケーションに直接基づいて、第１のノードにおける干渉を識別し得る。第２のノードが検出可能であるというインジケーションを干渉インジケーションが含むとき、中心ノードは、たとえば、第２のノードの動作の検出可能性に少なくとも部分的に基づいて、または第２のノードの識別情報に少なくとも部分的に基づいて、または第２のノードのタイプに少なくとも部分的に基づいて、第１のノードにおける干渉を識別し得る。
【０１６７】
[0185]ブロック１８０５における（１つまたは複数の）動作は、図７、図１１、または図１３を参照しながら説明したワイヤレス通信管理モジュール７２０、１１２０、または１３６０、あるいは図１１を参照しながら説明した干渉決定モジュール１１４０または干渉インジケーション取得モジュール１１５０を使用して実行され得る。
【０１６８】
[0186]ブロック１８１０において、方法１８００は、識別された干渉がしきい値を満たすかどうかを決定することを含み得る。識別された干渉がしきい値を満たさないとき、方法１８００はブロック１８１５において継続し得る。識別された干渉がしきい値を満たすとき、方法１８００はブロック１８２５において継続し得る。代替として、ブロック１８１０は、第１のノードにおける干渉が存在するかどうかに少なくとも部分的に基づいて、方法１８００のための後続のフローを選択し得る。ブロック１８１０における（１つまたは複数の）動作は、図７、図１１、または図１３を参照しながら説明したワイヤレス通信管理モジュール７２０、１１２０、または１３６０、あるいは図１１を参照しながら説明した干渉決定モジュール１１４０を使用して実行され得る。
【０１６９】
[0187]ブロック１８１５または１８２０において、方法１８００は、共有無線周波数スペクトル帯域において、少なくとも第３のノードとの第１のノードの同期を適応的に有効または無効にすることを含み得る。適応的な有効化または無効化は、ブロック１８１０において行われる決定に少なくとも部分的に基づき得る。ブロック１８１５において、識別された干渉がしきい値を満たさないとブロック１８１０において決定されるとき、方法１８００は、共有無線周波数スペクトル帯域における少なくとも第３のノードとの第１のノードの同期を有効にすることを含み得る。いくつかの例では、同期を有効にすることは、共有無線周波数スペクトル帯域へのアクセスを求めて競合するときに、第１のノードおよび第３のノードによって実行されるＥＣＣＡｓの同期を有効にすることを含み得る。いくつかの例では、同期を有効にすることは、同期有効化コマンドを第１のノードに送信することを含み得る。
【０１７０】
[0188]ブロック１８２０において、識別された干渉がしきい値を満たすとブロック１８１０において決定されるとき、方法１８００は、共有無線周波数スペクトル帯域における少なくとも第３のノードとの第１のノードの同期を無効にすることを含み得る。いくつかの例では、同期を無効にすることは、共有無線周波数スペクトル帯域へのアクセスを求めて競合するときに、第１のノードおよび第３のノードによって実行されるＥＣＣＡｓの同期を無効にすることを含み得る。いくつかの例では、同期を無効にすることは、同期無効化コマンドを第１のノードに送信することを含み得る。
【０１７１】
[0189]ブロック１８１５または１８２０における（１つまたは複数の）動作は、図７、図１１、または図１３を参照しながら説明したワイヤレス通信管理モジュール７２０、１１２０、または１３６０、あるいは図１１を参照しながら説明した適応ノード同期モジュール１１４５、ＥＣＣＡ管理モジュール１１５５、またはコマンド送信管理モジュール１１６０を使用して実行され得る。
【０１７２】
[0190]方法１８００のいくつかの例では、ブロック１８０５、１８１０、１８１５、および／または１８２０の各々において実行される動作は、中心ノードによって実行され得る。中心ノードはまた、第１のノードおよび第３のノードと同期されることが可能な、第１のノード以外の１つまたは複数のノードのための、ブロック１８０５、１８１０、１８１５、および／または１８２０における動作を実行し得る。
【０１７３】
[0191]方法１８００のいくつかの例では、第１のノードおよび第２のノードは、異なる無線アクセス技術または同じ無線アクセス技術を使用して共有無線周波数スペクトル帯域において動作し得る。いくつかの例では、第１のノードは第１の基地局を含み得、第２のノードは第２の基地局またはＷｉ−Ｆｉノードを含み得る。第２のノードが第２の基地局を含むとき、第１の基地局および第２の基地局は、異なる同期されていない事業者展開のメンバーであり得、または、第１の基地局および第２の基地局は、同じ事業者展開の同期されていない基地局であり得る。いくつかの例では、第３のノードは第３の基地局を含み得、第１の基地局および第３の基地局は同じ事業者展開のメンバーであり得る。いくつかの例では、第１の基地局、第２の基地局、および第３の基地局の１つまたは複数は、ＬＴＥ／ＬＴＥ−Ａネットワークの一部として動作し得る。
【０１７４】
[0192]したがって、方法１８００はワイヤレス通信を提供し得る。方法１８００は一インプリメンテーションにすぎず、方法１８００の動作は、他のインプリメンテーションが可能であるように再構成されるかまたは別の方法で修正され得ることに留意されたい。
【０１７５】
[0193]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（商標）などの無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムを説明し、上記の説明の大部分においてＬＴＥ用語が使用されるが、本技法はＬＴＥ／ＬＴＥ−Ａ適用例以外に適用可能である。
【０１７６】
[0194]添付の図面に関して上記に記載された詳細な説明は、例を説明しており、インプリメントされ得るかまたは特許請求の範囲内である例のすべてを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明する技法の理解を与えるための具体的な詳細を含む。しかしながら、これらの技法は、これらの具体的な詳細なしに実施され得る。いくつかの事例では、説明した例の概念を不明瞭にすることを回避するために、よく知られている構造および装置がブロック図の形式で示されている。
【０１７７】
[0195]情報および信号は、様々な技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表され得る。
【０１７８】
[0196]本明細書の開示に関して説明した様々な例示的なブロックおよびコンポーネントは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェアコンポーネント、または本明細書で説明した機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としてインプリメントされ得る。
【０１７９】
[0197]本明細書で説明した機能は、ハードウェア、プロセッサによって実行されるソフトウェア、ファームウェア、またはそれらの組合せでインプリメントされ得る。プロセッサによって実行されるソフトウェアでインプリメントされる場合、機能は、１つまたは複数の命令またはコードとしてコンピュータ可読媒体上に記憶され得るか、あるいはコンピュータ可読媒体を介して送信され得る。他の例およびインプリメンテーションが、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはそれらのうちのいずれかの組合せを使用してインプリメントされ得る。機能をインプリメントする特徴はまた、機能の部分が、異なる物理的ロケーションにおいてインプリメントされるように分散されることを含めて、様々な位置に物理的に配置され得る。特許請求の範囲を含めて本明細書で使用するとき、２つ以上の項目の列挙の中で使用されるとき、「または」という用語は、列挙された項目のうちのいずれか１つが単独で採用され得ること、または列挙された項目のうちの２つ以上の任意の組合せが採用され得ることを意味する。たとえば、組成がコンポーネントＡ、Ｂ、またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて本明細書で使用するとき、項目の列挙（たとえば、「のうちの少なくとも１つ」あるいは「のうちの１つまたは複数」などの句で終わる項目の列挙）の中で使用されるような「または」は、たとえば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）を意味するような選言的列挙を示す。
【０１８０】
[0198]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態で所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、レーザーを用いてデータを光学的に再生する。上記の組合せもコンピュータ可読媒体の範囲内に含まれる。
【０１８１】
[0199]本開示についての以上の説明は、当業者が本開示を作成または使用することができるように提供されたものである。本開示の様々な変更は当業者に容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
共有無線周波数スペクトル帯域において動作する第１のノードにおける干渉を識別することと、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にすることと、
を備える、方法。
［Ｃ２］
前記識別された干渉がしきい値を満たさないとき、少なくとも前記第３のノードとの前記第１のノードの前記同期を有効にすることと、
前記識別された干渉が前記しきい値を満たすとき、少なくとも前記第３のノードとの前記第１のノードの前記同期を無効にすることと、
をさらに備える、Ｃ１に記載の方法。
［Ｃ３］
少なくとも前記第１のノードおよび前記第３のノードと通信している中心ノードに前記識別された干渉を報告することをさらに備え、
前記適応的に有効にすることが、前記中心ノードから受信されるコマンドに少なくとも部分的に基づく、Ｃ１に記載の方法。
［Ｃ４］
中心ノードが少なくとも前記第１のノードおよび前記第３のノードと通信しており、前記識別することおよび前記適応的に有効にすることが前記中心ノードによって実行される、Ｃ１に記載の方法。
［Ｃ５］
前記第１のノードにおける前記干渉を識別することが、
前記第１のノードから干渉インジケーションを受信することを備える、Ｃ４に記載の方法。
［Ｃ６］
前記適応的に有効にすることが、
コマンドを前記第１のノードに送信することを備える、Ｃ４に記載の方法。
［Ｃ７］
前記第１のノードにおける前記干渉を識別することが、前記第３のノードにおいて前記第１のノードから干渉インジケーションを受信することを備え、前記識別することおよび前記適応的に有効にすることが前記第３のノードによって実行される、Ｃ１に記載の方法。
［Ｃ８］
少なくとも前記第３のノードとの前記第１のノードの前記同期が、前記共有無線周波数スペクトル帯域へのアクセスを求めて競合するときの、前記第１のノードおよび前記第３のノードによって実行される拡張クリアチャネルアセスメント（ＥＣＣＡ）の同期を備える、Ｃ１に記載の方法。
［Ｃ９］
前記第１のノードが第１の基地局を備え、前記第２のノードが第２の基地局またはＷｉ−Ｆｉノードを備える、Ｃ１に記載の方法。
［Ｃ１０］
前記第３のノードが第２の基地局を備え、前記第１の基地局および前記第２の基地局が同じ事業者展開のメンバーである、Ｃ９に記載の方法。
［Ｃ１１］
前記第１の基地局および前記第２の基地局が、異なる同期されていない事業者展開のメンバーである、Ｃ１０に記載の方法。
［Ｃ１２］
前記第１の基地局および前記第２の基地局が、同じ事業者展開の同期されていない基地局である、Ｃ１０に記載の方法。
［Ｃ１３］
前記第１のノードおよび前記第２のノードが、異なる無線アクセス技術または同じ無線アクセス技術を使用して前記共有無線周波数スペクトル帯域において動作する、Ｃ１に記載の方法。
［Ｃ１４］
ワイヤレス通信のための装置であって、
共有無線周波数スペクトル帯域において動作する第１のノードにおける干渉を識別するための手段と、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にするための手段と、
を備える、装置。
［Ｃ１５］
前記識別された干渉がしきい値を満たさないとき、少なくとも前記第３のノードとの前記第１のノードの前記同期を有効にするための手段と、
前記識別された干渉が前記しきい値を満たすとき、少なくとも前記第３のノードとの前記第１のノードの前記同期を無効にするための手段と、
をさらに備える、Ｃ１４に記載の装置。
［Ｃ１６］
少なくとも前記第１のノードおよび前記第３のノードと通信している中心ノードに前記識別された干渉を報告するための手段をさらに備え、
前記適応的に有効にすることが、前記中心ノードから受信されるコマンドに少なくとも部分的に基づく、Ｃ１４に記載の装置。
［Ｃ１７］
中心ノードが少なくとも前記第１のノードおよび前記第３のノードと通信しており、前記中心ノードが、識別するための前記手段と適応的に有効にするための前記手段とを備える、Ｃ１４に記載の装置。
［Ｃ１８］
前記第１のノードにおける干渉を識別するための前記手段が、前記第１のノードから干渉インジケーションを受信するための手段を備える、Ｃ１７に記載の装置。
［Ｃ１９］
適応的に有効にするための前記手段が、
コマンドを前記第１のノードに送信するための手段を備える、Ｃ１７に記載の装置。
［Ｃ２０］
前記第１のノードにおける干渉を識別するための前記手段が、前記第３のノードにおいて前記第１のノードから干渉インジケーションを受信するための手段を備え、前記第３のノードが、識別するための前記手段と適応的に有効にするための前記手段とを備える、Ｃ１４に記載の装置。
［Ｃ２１］
少なくとも前記第３のノードとの前記第１のノードの前記同期が、前記共有無線周波数スペクトル帯域へのアクセスを求めて競合するときの、前記第１のノードおよび前記第３のノードによって実行される拡張クリアチャネルアセスメント（ＥＣＣＡ）の同期を備える、Ｃ１４に記載の装置。
［Ｃ２２］
ワイヤレス通信のための装置であって、
プロセッサと、
前記プロセッサに結合されたメモリと、
を備え、ここにおいて、前記プロセッサが、
共有無線周波数スペクトル帯域において動作する第１のノードにおける干渉を識別することと、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にすることと、
を行うように構成される、装置。
［Ｃ２３］
前記命令が、
前記識別された干渉がしきい値を満たさないとき、少なくとも前記第３のノードとの前記第１のノードの前記同期を有効にすることと、
前記識別された干渉が前記しきい値を満たすとき、少なくとも前記第３のノードとの前記第１のノードの前記同期を無効にすることと、
を行うように前記プロセッサによって実行可能である、Ｃ２２に記載の装置。
［Ｃ２４］
前記命令が、
少なくとも前記第１のノードおよび前記第３のノードと通信している中心ノードに前記識別された干渉を報告するように前記プロセッサによって実行可能であり、
前記適応的に有効にすることが、前記中心ノードから受信されるコマンドに少なくとも部分的に基づく、Ｃ２２に記載の装置。
［Ｃ２５］
中心ノードが少なくとも前記第１のノードおよび前記第３のノードと通信しており、前記装置が前記中心ノードを含み、前記プロセッサが前記中心ノードに含まれる、Ｃ２２に記載の装置。
［Ｃ２６］
前記第１のノードにおける干渉を識別するように前記プロセッサによって実行可能な前記命令が、
前記第１のノードから干渉インジケーションを受信するように、前記プロセッサによって実行可能な命令を含む、Ｃ２５に記載の装置。
［Ｃ２７］
適応的に有効にするように前記プロセッサによって実行可能な前記命令が、
コマンドを前記第１のノードに送信するように前記プロセッサによって実行可能な命令を備える、Ｃ２５に記載の装置。
［Ｃ２８］
前記第１のノードにおける干渉を識別するように前記プロセッサによって実行可能な前記命令が、前記第３のノードにおいて前記第１のノードから干渉インジケーションを受信するように前記プロセッサによって実行可能な命令を備え、前記装置が前記第３のノードを含み、前記プロセッサが前記第３のノードに含まれる、Ｃ２２に記載の装置。
［Ｃ２９］
少なくとも前記第３のノードとの前記第１のノードの前記同期が、前記共有無線周波数スペクトル帯域へのアクセスを求めて競合するときの、前記第１のノードおよび前記第３のノードによって実行される拡張クリアチャネルアセスメント（ＥＣＣＡ）の同期を備える、Ｃ２２に記載の装置。
［Ｃ３０］
プロセッサによって実行可能な命令を記憶するためのコンピュータ可読媒体であって、前記命令が、
共有無線周波数スペクトル帯域において動作する第１のノードにおける干渉を識別するための命令と、前記干渉が前記共有無線周波数スペクトル帯域において動作する第２のノードによって引き起こされ、前記第２のノードが前記共有無線周波数スペクトル帯域において前記第１のノードに対して同期せずに動作し、
前記識別された干渉に少なくとも部分的に基づいて、前記共有無線周波数スペクトル帯域における少なくとも第３のノードとの前記第１のノードの同期を適応的に有効にするための命令と、
を備える、コンピュータ可読媒体。
【図１】
0006411645.tif 000002
【図２】
0006411645.tif 000003
【図３】
0006411645.tif 000004
【図４Ａ】
0006411645.tif 000005
【図４Ｂ】
0006411645.tif 000006
【図５】
0006411645.tif 000007
【図６】
0006411645.tif 000008
【図７】
0006411645.tif 000009
【図８】
0006411645.tif 000010
【図９】
0006411645.tif 000011
【図１０】
0006411645.tif 000012
【図１１】
0006411645.tif 000013
【図１２】
0006411645.tif 000014
【図１３】
0006411645.tif 000015
【図１４】
0006411645.tif 000016
【図１５】
0006411645.tif 000017
【図１６】
0006411645.tif 000018
【図１７】
0006411645.tif 000019
【図１８】
0006411645.tif 000020